(57)【要約】２またはそれ以上の信号の流れからなる多重化信号を受信するワイヤレス通信受信機は、流れ特有の受信信号品質の関数として多重化信号に関する受信信号品質を計算し、当該流れ特有の受信信号品質の変化量を示す１または２以上の損失パラメータを決定し、かかる情報に基づいて品質フィードバックを生成する。同様に送信機が、当該品質フィードバックに基づいて多重化信号の１または２以上の送信パラメータの選択を制御することで、送信リンク適応は、遠隔受信機において流れ特有の受信信号品質の変化量から生じる受信信号品質の損失を計上する。品質のフィードバックは、計算された損失値、または損失計算を許可するパラメータ／ペナルティを含むことができ、当該方法は、符号多重方式および空間多重方式のいずれにも適用される。【選択図】図４
2008543164.tif 000002
【特許請求の範囲】
【請求項１】
２またはそれ以上の信号の流れからなる多重化信号を受信する受信機によって得られる受信信号品質の損失の補償方法であって、
前記受信機における前記多重化信号に関する流れ特有の受信信号品質の変化量が原因で、前記受信機において生じる符号化率に依存する信号品質の損失の評価の少なくとも一部に基づいて、前記多重化信号に関する送信符号化率を選択することからなる、受信信号品質の損失の補償方法。
【請求項２】
前記受信機における前記多重化信号に関する流れ特有の受信信号品質の変化量が原因で、前記受信機において生じる符号化率に依存する信号品質の損失を評価することは、
多くの定義された符号化率に対応する前記多重化信号に関する、符号化率に依存する信号品質の損失を評価し、
前記符号化率に依存する信号品質の損失に基づいて、前記多重化信号に関する効率的な受信信号品質を決定し、
前記効率的な受信信号品質と前記定義された符号化率に関して定義された信号品質のしきい値との比較に基づいて、前記多重化信号に関する適切な符号化率を選択することからなる、請求項１に記載の受信信号品質の損失の補償方法。
【請求項３】
２またはそれ以上の信号の流れからなる多重化信号を受信する受信機によって得られる受信信号品質の損失の補償方法であって：
前記多重化信号の前記２またはそれ以上の信号の流れに関して決定された流れ特有の受信信号品質の関数として、前記多重化信号に関する受信信号品質を計算し、
前記流れ特有の受信信号品質の変化量の関数として、受信信号品質の損失を決定し、
前記受信信号品質および前記受信信号品質の損失の関数として、前記多重化信号の１または２以上の送信パラメータを制御することからなる、受信信号品質の損失の補償方法。
【請求項４】
前記受信信号品質および前記受信信号品質の損失の関数として、前記多重化信号の１または２以上の送信パラメータを制御することは、
前記受信信号品質および前記損失の関数として、前記多重化信号に関する効率的な受信信号品質を生成し、
前記効率的な受信信号品質に基づいて、前記多重化信号を送信するために使用される１または２以上の送信パラメータを選択することからなる、請求項３に記載の受信信号品質の損失の補償方法。
【請求項５】
前記受信信号品質および前記受信信号品質の損失の関数として、前記多重化信号の１または２以上の送信パラメータを制御することは、一般に、
前記損失によって減少された前記多重化信号の前記受信信号品質に基づいて、前記多重化信号を送信するために使用される変調フォーマットおよび符号化率の少なくとも１つを選択することからなる、請求項３に記載の受信信号品質の損失の補償方法。
【請求項６】
前記多重化信号の前記２またはそれ以上の信号の流れに関して決定された流れ特有の受信信号品質の関数として、前記多重化信号に関する受信信号品質を計算することは、
前記多重化信号を送信することが可能な１または２以上の多重化モードのそれぞれに関して、前記多重化信号に関するモード特有の受信信号品質を計算することからなる、請求項３に記載の受信信号品質の損失の補償方法。
【請求項７】
前記流れ特有の受信信号品質の変化量の関数として、受信信号品質の損失を決定することは、
それぞれのモード特有の受信信号品質に関して、前記多重化信号を送信することが可能なそれぞれの符号化率に関する率特有の信号品質の損失を決定することからなる、請求項６に記載の受信信号品質の損失の補償方法。
【請求項８】
前記受信信号品質および前記受信信号品質の損失の関数として、前記多重化信号の１または２以上の送信パラメータを制御することは、
前記モード特有の受信信号品質および前記対応する率特有の信号品質の損失に基づいて、それぞれの多重化モードに関する最大の達成可能な符号化率を決定し、
前記最大の達成可能な符号化率の比較に基づいて、前記多重化信号の前記符号化率を設定することからなる、請求項７に記載の受信信号品質の損失の補償方法。
【請求項９】
２またはそれ以上の信号の流れからなる多重化信号を受信する受信機からの受信信号品質の情報をフィードバックする方法であって：
前記多重化信号に関して決定された流れ特有の受信信号品質の関数として、前記多重化信号に関する受信信号品質を計算し、
前記流れ特有の受信信号品質の変化量の関数として、前記受信信号品質に関する損失パラメータを決定し、
前記受信信号品質および前記損失パラメータに基づいて、フィードバックに関する受信信号品質の情報を生成することからなる、受信信号品質の情報をフィードバックする方法。
【請求項１０】
前記多重化信号に関して決定された流れ特有の受信信号品質の関数として、前記多重化信号に関する受信信号品質を計算することは、
前記多重化信号に関して定義された１または２以上の多重化モードに関するモード特有の受信信号品質を計算することからなる、請求項９に記載の受信信号品質の情報をフィードバックする方法。
【請求項１１】
前記流れ特有の受信信号品質の変化量の関数として、前記受信信号品質に関する損失パラメータを決定することは、
それぞれのモード特有の受信信号品質に関して、１または２以上の符号化率に依存する損失パラメータを決定することからなる、請求項１０に記載の受信信号品質の情報をフィードバックする方法。
【請求項１２】
前記多重化信号に関して決定された流れ特有の受信信号品質の関数として、前記多重化信号に関する受信信号品質を計算することは、
前記多重化信号と関連付けられた１または２以上の多重化モードのそれぞれに関するチャネル品質指標（ＣＱＩ）値を計算することからなり、
この場合において、
前記流れ特有の受信信号品質の変化量の関数として、前記受信信号品質に関する損失パラメータを決定することは、
それぞれのＣＱＩに関する１または２以上の符号化率に依存する損失パラメータを決定することからなり、その結果、前記受信信号品質の情報が、モード特有のＣＱＩ値および対応する符号化率に依存する損失パラメータからなる、請求項９に記載の受信信号品質の情報をフィードバックする方法。
【請求項１３】
前記多重化信号は、
１または２以上の空間多重化モードのそれぞれにおける異なる数の送信アンテナから送信される空間多重化信号からなり、
この場合において、
前記多重化信号に関して決定された流れ特有の受信信号品質の関数として、前記多重化信号に関する受信信号品質を計算することは、
それぞれの空間多重化モードにおける送信アンテナの最適な一式に関する受信信号品質を計算することからなる、請求項９に記載の受信信号品質の情報をフィードバックする方法。
【請求項１４】
前記流れ特有の受信信号品質の変化量の関数として、前記受信信号品質に関する損失パラメータを決定することは、
それぞれの空間多重化モードに関して、１または２以上の符号化率に依存する損失パラメータを決定することからなる、請求項１３に記載の受信信号品質の情報をフィードバックする方法。
【請求項１５】
前記受信信号品質および前記損失パラメータに基づいて、フィードバックに関する受信信号品質の情報を生成することは、
前記受信信号品質として、またはそれらが量子化された形式として、および前記損失パラメータとして、前記受信信号品質の情報を生成することからなる、請求項９に記載の受信信号品質の情報をフィードバックする方法。
【請求項１６】
前記受信信号品質および前記損失パラメータに基づいて、フィードバックに関する受信信号品質の情報を生成することは、
前記受信信号品質および前記損失パラメータの関数として計算された効率的な受信信号品質として、前記受信信号品質の情報を生成することからなる、請求項９に記載の受信信号品質の情報をフィードバックする方法。
【請求項１７】
前記多重化信号に関して決定された流れ特有の受信信号品質の関数として、前記多重化信号に関する受信信号品質を計算することは、
前記流れ特有の受信信号品質から平均信号品質を計算することからなる、請求項９に記載の受信信号品質の情報をフィードバックする方法。
【請求項１８】
前記流れ特有の受信信号品質の変化量の関数として、前記受信信号品質に関する損失パラメータを決定することは、
前記流れ特有の信号品質の変化量の最大幅を決定することからなり、その結果、前記受信信号品質の情報が、前記平均受信信号品質および前記最大幅を示す、請求項１７に記載の受信信号品質の情報をフィードバックする方法。
【請求項１９】
前記流れ特有の受信信号品質の変化量の関数として、前記受信信号品質に関する損失パラメータを決定することは、
前記流れ特有の信号品質の変化量を特徴付ける変化量統計値を決定することからなり、その結果、前記受信信号品質の情報が、前記平均受信信号品質および前記変化量統計値を示す、請求項１７に記載の受信信号品質の情報をフィードバックする方法。
【請求項２０】
前記変化量統計値は、
前記流れ特有の受信信号品質の分散、前記流れ特有の受信信号品質の標準偏差、および前記流れ特有の受信信号品質の最大幅の１または２以上からなる、請求項１９に記載の受信信号品質の情報をフィードバックする方法。
【請求項２１】
前記流れ特有の受信信号品質の変化量の関数として、前記受信信号品質に関する損失パラメータを決定することは、
前記流れ特有の受信信号の変化量から生じる前記受信信号品質の効率的な損失を、多重化信号の符号化率の損失関数として表現し、
前記損失関数の中で最適な１つと対応するパラメータの一式として、前記損失パラメータを生成することからなる、請求項９に記載の受信信号品質の情報をフィードバックする方法。
【請求項２２】
前記流れ特有の受信信号品質の変化量の関数として、前記受信信号品質に関する損失パラメータを決定することは、
前記流れ特有の受信信号品質の変化量が原因で生じる、前記受信信号品質の効率的な減少を表す損失値を決定することからなる、請求項９に記載の受信信号品質の情報をフィードバックする方法。
【請求項２３】
前記流れ特有の受信信号品質の変化量が原因で生じる、前記受信信号品質の効率的な減少を表す損失値を決定することは、
前記多重化信号の前記受信信号品質の１または２以上の符号化率に依存する関数として信号品質を作成する、前記受信機において維持される損失式またはデータテーブルから損失値を決定することからなる、請求項２２に記載の受信信号品質の情報をフィードバックする方法。
【請求項２４】
前記多重化信号に関して決定された流れ特有の受信信号品質の関数として、前記多重化信号に関する受信信号品質を計算することは、
前記多重化信号と関連付けられた１または２以上の空間多重化モードのそれぞれに関する最適な送信アンテナの一式を決定し、
前記送信アンテナの最適な一式に対応する前記多重化信号の前記流れ特有の受信信号品質に基づいて、それぞれの空間多重化モードに関するチャネル品質指標を計算することからなる、請求項９に記載の受信信号品質の情報をフィードバックする方法。
【請求項２５】
前記流れ特有の受信信号品質の変化量の関数として、前記受信信号品質に関する損失パラメータを決定することは、
前記空間多重化モードに関する前記アンテナの最適な一式に対応する前記流れ特有の受信信号品質の変化量を使用する、それぞれの空間多重モードに関する１または２以上の損失パラメータを決定することからなり、
この場合において、
前記受信信号品質および前記損失パラメータに基づいて、フィードバックに関する受信信号品質の情報を生成することは、
前記空間多重化モードに関して計算された前記チャネル品質指標および対応する損失パラメータとして前記受信信号品質を生成することからなる、請求項９に記載の受信信号品質の情報をフィードバックする方法。
【請求項２６】
前記受信機は、
広帯域符号分割多重接続（Ｗ−ＣＤＭＡ）受信機からなり、
この場合において、前記多重化信号は、
空間多重化された高速下り回線共有チャネル（ＨＳ−ＤＳＣＨ）信号からなり、
この場合において、前記受信信号品質の情報は、
前記空間多重化されたＨＳ−ＤＳＣＨ信号と関連付けられた１または２以上の空間多重化モードのそれぞれに関する、チャネル品質指標（ＣＱＩ）および１または２以上の符号化率に依存する損失パラメータからなる、請求項９に記載の受信信号品質の情報をフィードバックする方法。
【請求項２７】
２またはそれ以上の信号の流れからなる多重化信号を受信する受信機によって得られる受信信号品質の損失の補償方法であって：
前記多重化信号に関する受信信号品質と、前記多重化信号の流れ特有の受信信号品質の変化量を示す損失パラメータとを受信し；
前記受信信号品質および前記損失パラメータの関数として、前記多重化信号の１または２以上の送信パラメータの選択を制御することからなる、受信信号品質の損失の補償方法。
【請求項２８】
前記多重化信号に関する受信信号品質と、前記多重化信号の流れ特有の受信信号品質の変化量を示す損失パラメータとを受信することは、
前記多重化信号と関連付けられた１または２以上の多重化モードのそれぞれに関する、受信信号品質および損失パラメータを受信することからなる、請求項２７に記載の受信信号品質の損失の補償方法。
【請求項２９】
前記受信信号品質および前記損失パラメータの関数として、前記多重化信号の１または２以上の送信パラメータの選択を制御することは、
それぞれの多重化モードにおける前記多重化信号に関する符号化率に依存する信号品質の損失を、当該多重化モードに関して受信された損失パラメータに基づいて計算し、
それぞれの多重化モードにおいてサポート可能な最大符号化率を、当該多重化モードに関して計算された前記符号化率に依存する信号品質の損失に基づいて識別し、
前記多重化信号に関して使用するための多重化モードおよび符号化率を、前記最大符号化率と前記多重化モードとの比較に基づいて選択することからなる、請求項２８に記載の受信信号品質の損失の補償方法。
【請求項３０】
前記多重化信号に関する受信信号品質と、前記多重化信号の流れ特有の受信信号品質の変化量を示す損失パラメータとを受信することは、
前記多重化信号と関連付けられた１または２以上の多重化モードのそれぞれに関する、モード特有の受信信号品質および対応するモード特有の損失パラメータを受信することからなる、請求項２７に記載の受信信号品質の損失の補償方法。
【請求項３１】
それぞれのモード特有の受信信号品質は、
前記対応する多重化モードに関する前記多重化信号の前記流れ特有の受信信号品質の関数として計算された、受信信号品質の指標からなり、
この場合において、それぞれの対応する損失パラメータは、これら流れ特有の受信信号品質の前記変化量を示す、請求項３０に記載の受信信号品質の損失の補償方法。
【請求項３２】
前記受信信号品質および前記損失パラメータの関数として、前記多重化信号の１または２以上の送信パラメータの選択を制御することは、
前記モード特有の受信信号品質の指標と、前記モード特有の損失パラメータおよび情報を作成する符号化率に依存する信号品質の損失から計算される多くの符号化率に依存する信号品質の損失とに基づいて、それぞれの多重化モードにおける効率的な受信信号品質を決定し、
前記効率的な受信信号品質と符号化率に依存する信号品質のしきい値との比較に基づいて、前記多重化モードおよび符号化率の１つを選択することからなる、請求項３１に記載の受信信号品質の損失の補償方法。
【請求項３３】
前記損失パラメータは、
前記流れ特有の受信信号品質の変化量を示す統計値からなり、
この場合において、
前記受信信号品質および前記損失パラメータの関数として、前記多重化信号の１または２以上の送信パラメータの選択を制御することは、
前記損失値および前記受信信号品質からの効率的な受信信号品質を計算し、
前記効率的な受信信号品質に基づいて、前記１または２以上の送信パラメータの選択を制御することからなる、請求項２７に記載の受信信号品質の損失の補償方法。
【請求項３４】
前記統計値は、
前記流れ特有の受信信号品質の最大幅、前記流れ特有の受信信号品質の標準偏差、または前記流れ特有の受信信号品質の分散からなる、請求項３３に記載の受信信号品質の損失の補償方法。
【請求項３５】
前記損失パラメータは、
前記流れ特有の受信信号品質の変化量の関数として、信号品質を作成する損失曲線または関数を識別するパラメータの一式からなり、
この場合において、
前記受信信号品質および前記損失パラメータの関数として、前記多重化信号の１または２以上の送信パラメータの選択を制御することは、
前記損失値および前記受信信号品質からの効率的な受信信号品質を計算し、
前記効率的な信号品質に基づいて、前記１または２以上の送信パラメータの選択を制御することからなる、請求項２７に記載の受信信号品質の損失の補償方法。
【請求項３６】
ワイヤレス通信ネットワークにおける使用のための多重化送信機であって：
２またはそれ以上の信号の流れからなる多重化信号を、前記多重化送信機から遠隔受信機に送信するように構成された無線送信回路と；
前記多重化信号に関する受信信号品質と、前記多重化信号の流れ特有の受信信号品質の変化量を示す損失パラメータとを受信するように構成された１または２以上のインターフェイス回路と；
前記受信信号品質および前記損失パラメータの関数として、前記多重化信号の１または２以上の送信パラメータの選択を制御するように構成された制御回路とからなる、多重化送信機。
【請求項３７】
前記制御回路は、
前記多重化信号の前記流れ特有の受信信号品質の変化量から、前記遠隔受信機において生じる受信信号品質の損失の評価に基づいて、前記遠隔受信機に関する効率的な受信信号品質を決定するように構成された計算回路を含み、または前記計算回路と関連付けられている、請求項３６に記載の多重化送信機。
【請求項３８】
前記受信信号品質および前記損失パラメータは、
前記多重化信号と関連付けられた１または２以上の多重化モードのそれぞれに関する、受信信号品質および損失パラメータからなる、請求項３６に記載の多重化送信機。
【請求項３９】
前記制御回路は、
それぞれの多重化モードにおける前記多重化信号に関する符号化率に依存する信号品質の損失を、当該多重化モードに関して受信された損失パラメータに基づいて計算することと、
それぞれの多重化モードにおいてサポート可能な最大符号化率を、当該多重化モードに関して計算された前記符号化率に依存する信号品質の損失に基づいて識別することと、
前記多重化信号に関して使用するための多重化モードおよび符号化率を、前記最大符号化率と前記多重化モードとの比較に基づいて選択することとにより、
前記多重化信号の前記１または２以上の送信パラメータの選択を制御するように構成されている、請求項３８に記載の多重化送信機。
【請求項４０】
フィードバックとして受信された前記受信信号品質および前記損失パラメータは、
前記多重化信号と関連付けられた１または２以上の多重化モードのそれぞれに関する、モード特有の受信信号品質および対応するモード特有の損失パラメータからなる、請求項３６に記載の多重化送信機。
【請求項４１】
それぞれのモード特有の受信信号品質は、
前記対応する多重化モードに関する前記多重化信号の前記流れ特有の受信信号品質の関数として計算された受信信号品質の指標からなり、
この場合において、それぞれの対応する損失パラメータは、これら流れ特有の受信信号品質の前記変化量を示す、請求項４０に記載の多重化送信機。
【請求項４２】
前記制御回路は、
前記モード特有の受信信号品質の指標と、前記モード特有の損失パラメータおよび情報を作成する符号化率に依存する信号品質の損失から計算される多くの符号化率に依存する信号品質の損失とに基づいて、それぞれの多重化モードにおける効率的な受信信号品質を決定することと、
前記効率的な受信信号品質と符号化率に依存する信号品質のしきい値との比較に基づいて、前記多重化モードおよび符号化率の１つを選択することとにより、
前記受信信号品質および前記損失パラメータの関数として、前記多重化信号の１または２以上の送信パラメータの選択を制御するように構成されている、請求項４１に記載の多重化送信機。
【請求項４３】
前記損失パラメータは、
前記流れ特有の受信信号品質の変化量を示す統計値からなり、
この場合において、前記制御回路は、
前記損失パラメータから損失値を計算し、前記損失値および前記受信信号品質から効率的な受信信号品質を計算し、前記効率的な受信信号品質に基づいて前記１または２以上の送信パラメータの選択を制御することにより、
前記受信信号品質および前記損失パラメータの関数として、前記多重化信号の１または２以上の送信パラメータの選択を制御するように構成されている、請求項３６に記載の多重化送信機。
【請求項４４】
前記統計値は、
前記流れ特有の受信信号品質の最大幅、前記流れ特有の受信信号品質の標準偏差、または前記流れ特有の受信信号品質の分散からなる、請求項４３に記載の多重化送信機。
【請求項４５】
前記損失パラメータは、
前記流れ特有の受信信号品質の変化量の関数として、信号品質を作成する損失曲線または関数を識別するパラメータの一式からなり、
この場合において、前記制御回路は、
前記識別された損失曲線または関数から損失値を計算し、前記損失値および前記受信信号品質から効率的な受信信号品質を計算し、前記効率的な信号品質に基づいて前記１または２以上の送信パラメータを選択することにより、
前記受信信号品質および前記損失パラメータの関数として、前記多重化信号の１または２以上の送信パラメータの選択を制御するように構成されている、請求項３６に記載の多重化送信機。
【請求項４６】
２またはそれ以上の信号の流れからなる多重化信号を受信するように構成されたワイヤレス通信受信機であって、前記ワイヤレス通信受信機は１または２以上の処理回路からなり、前記処理回路は：
前記多重化信号に関して決定された流れ特有の受信信号品質の関数として、前記多重化信号に関する受信信号品質を計算し、
前記流れ特有の受信信号品質の変化量の関数として、前記受信信号品質に関する損失パラメータを決定し、
前記受信信号品質および前記損失パラメータに基づいて、フィードバックに関する受信信号品質の情報を生成するように構成されている、ワイヤレス通信受信機。
【請求項４７】
前記１または２以上の処理回路は、
前記多重化信号に関して決定された１または２以上の多重化モードのそれぞれに関するモード特有の受信信号品質として、前記受信信号品質を計算するように構成されている、請求項４６に記載のワイヤレス通信受信機。
【請求項４８】
前記１または２以上の処理回路は、
前記対応する多重化モードにおける前記多重化信号の前記流れ特有の受信信号品質の前記変化量に基づいて、前記損失パラメータを、それぞれのモード特有の受信信号品質に関する１または２以上の符号化率に依存する損失パラメータとして決定するように構成されている、請求項４７に記載のワイヤレス通信受信機。
【請求項４９】
前記多重化信号は、
ぞれぞれの多重化モードにおける異なる数の送信アンテナから送信された空間多重化信号からなり、
この場合において、前記１または２以上の処理回路は、
それぞれの多重化モードにおける送信アンテナの最適な一式に関する前記受信信号品質を計算することにより、前記モード特有の受信信号品質を計算するように構成されている、請求項４８に記載のワイヤレス通信受信機。
【請求項５０】
前記１または２以上の処理回路は、
前記受信信号品質として、またはそれらが量子化された形式として、および前記損失パラメータとして、前記受信信号品質の情報を生成するように構成されている、請求項４６に記載のワイヤレス通信受信機。
【請求項５１】
前記１または２以上の処理回路は、
前記受信信号品質および前記損失パラメータの関数として計算された効率的な受信信号品質として、前記受信信号品質の情報を生成するように構成されている、請求項４６に記載のワイヤレス通信受信機。
【請求項５２】
前記１または２以上の処理回路は、
前記流れ特有の受信信号品質からの平均信号品質を計算することにより、前記多重化信号に関して決定された流れ特有の受信信号品質の関数として、前記多重化信号に関する前記受信信号品質を計算するように構成されている、請求項４６に記載のワイヤレス通信受信機。
【請求項５３】
前記１または２以上の処理回路は、
前記流れ特有の信号品質の変化量の最大幅を決定することにより、前記流れ特有の受信信号品質の変化量の関数として、前記受信信号品質に関する損失パラメータを決定するように構成され、その結果、前記受信信号品質の情報が、前記平均受信信号品質および前記最大幅を示す、請求項５２に記載のワイヤレス通信受信機。
【請求項５４】
前記１または２以上の処理回路は、
前記流れ特有の信号品質の前記変化量を特徴付ける変化量統計値を決定することにより、前記流れ特有の受信信号品質の変化量の関数として、前記受信信号品質に関する損失パラメータを決定するように構成され、その結果、前記受信信号品質の情報が、前記平均受信信号品質および前記変化量統計値を示す、請求項５２に記載のワイヤレス通信受信機。
【請求項５５】
前記１または２以上の処理回路は、
前記流れ特有の受信信号品質の変化量から生じる前記受信信号品質の効率的な損失を、多重化信号の符号化率の損失関数として表現し、前記損失関数の中で最適な１つと対応するパラメータの一式として前記損失パラメータを生成することにより、
前記流れ特有の受信信号品質の変化量の関数として、前記受信信号品質に関する損失パラメータを決定するように構成されている、請求項４６に記載のワイヤレス通信受信機。
【発明の詳細な説明】
【技術分野】
【０００１】
本発明は、ワイヤレス通信ネットワークに関し、特に改良された受信信号品質の決定に応じた多重化信号の送信パラメータの制御に関する。
【背景技術】
【０００２】
ワイヤレス通信ネットワークにおいて送信機が、対象となる受信機からの受信信号品質のフィードバックに応じて送信リンク適応（ｌｉｎｋ  ａｄａｐｔａｔｉｏｎ）を実行することは一般的である。例えば、１または２以上の送信電力、符号化率（ｃｏｄｉｎｇ  ｒａｔｅ）、変調フォーマット（ｍｏｄｕｌａｔｉｏｎ  ｆｏｒｍａｔ）、およびそれらと似たもののいずれかが、受信機によって報告された受信信号品質の関数として、所定の受信機のために変化されることがある。
【０００３】
速度制御されるチャネルに関しては、リンク適応の制御入力として受信信号品質の使用は一般的であり、この場合において、ネットワーク送信機は、対象となる受信機における受信信号品質の報告された変化量に応じて、信号の送信電力よりもむしろ、送信された通信信号のデータ速度を変化させる。広帯域符号分割多重接続（Ｗ−ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）基準は、高速下り回線共有チャネル（ＨＳ−ＤＳＣＨ：Ｈｉｇｈ  Ｓｐｅｅｄ  Ｄｏｗｎｌｉｎｋ  Ｓｈａｒｅｄ  Ｃｈａｎｎｅｌ）として知られる速度制御された信号を定義する。ＨＳ−ＤＳＣＨは、時間多重化方式および／または符号多重化方式において、チャネルを共有する大多数の受信機（ユーザ）に、高速パケットデータを提供する共有チャネルである。
【０００４】
ＨＳ−ＤＳＣＨは時間枠化（ｔｉｍｅ−ｓｌｏｔｔｅｄ）され、個々の時間枠が、定義されたスケジューリング・アルゴリズムに従って個々のユーザに専用される。ユーザはサービス要求や他の基準に従ってスケジューリングされるが、所定のユーザをスケジューリングされた時間枠において満足させるために選択される速度は、通常ユーザによって報告された受信信号品質の関数として選択される。特に、ユーザはチャネル品質の指標、または受信信号品質の他のいくつかの表示を報告し、送信機は、許容される誤り率（ｅｒｒｏｒ  ｒａｔｅ）においてユーザによってサポートされることができる最大速度を決定するために、その報告された値を使用する。送信誤り率を比較的低く維持することで、過度のデータ再送信が回避されるため、全体のシステム効率が向上する。実際に、送信機が、対象となる受信機における実際の受信状態に関する適切なデータ速度よりも高いデータ速度を選択した場合、ＨＳ−ＳＤＣＨの効率的なスループットは非常に急速に降下することがある。
【０００５】
すなわち、対象となる１または２以上の受信機が受信信号品質を過大報告（ｏｖｅｒ  ｒｅｐｏｒｔ）した場合、送信機は、例えば、誤報した受信機における実際の受信信号品質に関して、適切でない送信変調フォーマットや符号化率の選択といった送信リンク適応を作成することとなり得る。ＨＳ−ＤＳＣＨの空間多重化送信機への適応は、対象となる受信機が、実際の受信信号品質よりも高く報告する傾向がある状況を表す。同様の過大報告の場面が、符号多重化送信（例えば多重符号化（ｍｕｌｔｉ−ｃｏｄｉｎｇ））、および符号多重方式と空間多重方式の結合においても生じる。
【０００６】
空間多重化送信機などにおいて、多重化送信の結果として信号品質の過大報告の可能性が生じる。この場合において、同一の符号語（ｃｏｄｅｗｏｒｄ）に属する複数の符号記号は、異なった信号の流れとして送信され、送信機と対象となる受信機の間で異なったフェージングおよび／または干渉を受ける。その結果として、受信信号品質、例えば信号対干渉＋雑音比（ＳＩＮＲ：ｓｉｇｎａｌ-ｔｏ−ｎｏｉｓｅ−ｐｌｕｓ−ｉｎｔｅｒｆｅｒｅｎｃｅ  ｒａｔｉｏ）の記号は、受信機のデコーダへの入力における符号語を通じて変化する。例として、受信された多重化信号からなる４つの信号の流れでは、受信機は、はっきりと異なる（流れ特有の（ｓｔｒｅａｍ−ｓｐｅｃｉｆｉｃ））受信信号品質を得る。このような流れ特有の受信信号品質の変化量が、受信機における信号品質の損失を引き起こす。すなわち、流れ特有の受信信号品質の平均を単純に報告することは、受信機における真の受信信号品質の正確な事実を、送信機に提供することとはならない。
【発明の開示】
【０００７】
ここで説明する少なくとも１の方法は、多重化信号の流れ特有の受信信号品質の変化量を原因として、受信機において生じる符号化率に依存する信号品質の損失を評価することの少なくとも一部に基づいて、多重化信号に関する１または２以上の送信パラメータ（例えば符号化率）の選択を制御することにより、多重化信号を受信する受信機によって得られる受信信号品質の損失を補償する。この例に限定されるわけではないが、当該方法は、かかる損失を考慮するために、広帯域符号分割多重接続（Ｗ−ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワークにおいて空間多重化された高速下り回線共有チャネル（ＨＳ−ＤＳＣＨ：Ｈｉｓｈ−Ｓｐｅｅｄ  Ｄｏｗｎｌｉｎｋ  Ｓｈａｒｅｄ  Ｃｈａｎｎｅｌ）信号に関して、変調および／または符号化率の選択を許容する。もちろん、当該方法は空間多重化方式と同様に、符号多重化方式（例えば多重符号化（ｍｕｌｔｉ−ｃｏｄｉｎｇ）にも適用し、さらに符号多重化方式および空間多重化方式の結合にも適用する。
【０００８】
別の実施形態として、多重化信号を受信する受信機によって得られる受信信号品質の損失の補償方法は、多重化信号の２またはそれ以上の信号の流れに関して決定される流れ特有の受信信号品質の関数として、多重化信号に関する受信信号品質を計算することと、流れ特有の受信信号品質の変化量の関数として、受信信号品質の損失を決定することと、当該受信信号品質および当該受信信号品質の関数として、多重化信号の１または２以上の送信パラメータを制御すること、とからなる。送信パラメータは、例えば、変調フォーマットの選択、符号化率の選択、または変調フォーマットと符号化率の結合などとすることができる。
【０００９】
上記事項を考慮すると、ワイヤレス通信受信機は、複数の信号の流れからなる多重化信号を受信および処理するのに適用されることができる。実施形態の１つにおいては、かかるワイヤレス通信受信機は、多重化信号に関して決定される流れ特有の受信信号品質の関数として、多重化信号に関する受信信号品質を計算し、流れ特有の受信信号品質における変化量の関数として、受信信号品質に関する損失パラメータを決定し、当該受信信号品質および当該損失パラメータに基づいて、フィードバックのための受信信号品質情報を生成するように構成された、１または２以上の処理回路からなる。
【００１０】
受信機は、多重化信号に関して定義された１または２以上の多重化モードのそれぞれに関するモード特有の受信信号品質として受信信号品質を計算するように構成されることができる。受信機が、モード特有の受信信号品質を決定する場合においては、受信機は、対応する多重化モードにおける多重化信号の流れ特有の受信信号品質の変化量に基づいて、それぞれのモード特有の受信信号品質に関する１または２以上の符号化率に依存する損失パラメータを決定するように構成されることができる。かかる実施形態においては、多重化送信機に（直接にまたは間接に）フィードバックされる受信信号品質の情報は、モード特有の受信信号品質の評価と、およびかかるモード特有の受信信号品質の評価のそれぞれに関する対応する損失パラメータとからなる。ここで当該損失パラメータは、受信信号品質の効率的な損失を表す損失値からなることができ、または送信機がかかる損失を計算することが可能となる値からなることができる。
【００１１】
損失パラメータのフィードバックに関して選択される特定のフォーマットに関わらず、補完的な多重化送信機の実施形態の１つは、上述したフィードバックに基づいて、１または２以上の送信パラメータを制御することにより、送信リンクを多重化信号に適合させる方法をサポートするように構成された無線送信回路からなる。かかる回路は、多重化信号に関する受信信号品質および多重化信号の流れ特有の受信信号品質の変化量を示す損失パラメータからなる、遠隔受信機からのフィードバックを受信するように構成された１または２以上のインターフェイス回路、および該受信信号品質と該損失パラメータの関数として、多重化信号の１または２以上の送信パラメータの選択を制御するように構成された制御回路を含む。
【００１２】
上記制御回路は、計算回路を含むことができ、または計算回路と関連付けられることができる。かかる計算回路は、多重化信号の流れ特有の受信信号品質の変化量から、遠隔受信機において生じる受信信号品質の損失を評価することに基づいて、遠隔受信機に関する効率的な受信信号品質を決定するように構成される。ここで受信信号品質および損失パラメータが、多重化信号に関連付けられた１または２以上の多重化モードのそれぞれに関する受信信号品質、および１または２以上の損失パラメータからなる場合においては、送信機は、それぞれの多重化モードにおける異なる符号化率に関する効率的な受信信号品質を評価することができ、最適な速度を提供するモードを選択する。
【００１３】
しかしながら、本発明が上記特徴および有利な効果に限定されないことをいわゆる当業者は理解すべきである。実際に、いわゆる当業者は後述する本発明から選択した実施形態の詳細な説明を読み、対応する図面を参照することで本発明の更なる特徴および有利な効果を認識することができる。
【発明を実施するための最良の形態】
【００１４】
ここで述べる方法および対応する装置は符号多重化信号および／または空間多重化信号に適用されることが理解されなければならない。すなわち、少なくとも後述する事項のいくつかが空間多重化構造に関するものであったとしても、かかる詳細に限定されるものではない。
【００１５】
上記事項を考慮したうえで図１は、ワイヤレス通信装置１２を、１または２以上の外部ネットワーク１４と通信接続したワイヤレス通信ネットワーク１０の実施形態の１つを部分的に示す。かかる通信をサポートするのに、ネットワーク１０は、１または２以上の無線ネットワーク制御装置（ＲＮＣ：Ｒａｄｉｏ  Ｎｅｔｗｏｒｋ  Ｃｏｎｔｒｏｌｌｅｒ）１８を含む無線アクセス・ネットワーク（ＲＡＮ：Ｒａｄｉｏ  Ａｃｃｅｓｓ  Ｎｅｔｗｏｒｋ）１６からなる。ここでそれぞれのＲＮＣ１８は、１または２以上の送受信ノード（ｔｒａｎｓｃｅｉｖｅｒ  ｎｏｄｅ）２０（無線基地局または送受信基地局と呼ばれることもある）を制御している。ネットワーク１０はさらに、外部ネットワーク１４との通信リンクを提供する１または２以上のコア・ネットワーク（ＣＮ）２２からなる。
【００１６】
この例に限定されるわけではないが、ワイヤレス通信ネットワーク１０は、ワイヤレス通信装置１２を、公衆交換電話網（ＰＳＴＮ：Ｐｕｂｌｉｃ  Ｓｗｉｔｃｈｅｄ  Ｔｅｌｅｐｏｈｏｎｅ  Ｎｅｔｗｏｒｋ）および／またはインターネットまたはその他の公衆データ網（Ｐｕｂｌｉｃ  Ｄａｔａ  Ｎｅｔｗｏｒｋ）と通信接続するために構成された、広帯域符号分割多重接続（Ｗ−ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワークからなることができる。すなわちワイヤレス通信装置１２は、移動局、またはＷ−ＣＤＭＡ基準に従った動作のために構成された、その他の種類の通信装置からなることができる。“遠隔受信機（ｒｅｍｏｔｅ  ｒｅｃｅｉｖｅｒ）”、またはより一般的に単純に“ワイヤレス通信受信機（ｗｉｒｅｌｅｓｓ  ｃｏｍｍｕｎｉｃａｔｉｏｎ  ｒｅｃｅｉｖｅｒ）”とも言及されるワイヤレス通信装置１２は、より一般的には、サポートしている通信ネットワークからのワイヤレス通信信号を受信するように構成された通信装置のいずれかの種類から実質的になる。
【００１７】
いくつかの実施形態においては、送受信ノード２０の少なくとも１つは、符号多重化信号をワイヤレス通信装置１２に送信する働きをする符号多重化送信機として構成される。しかしながら、図に示した実施形態に従うと、送受信ノード２０の少なくとも１つは、空間多重化信号をワイヤレス通信装置１２に送信する働きをする、空間多重化送信機として構成されている。
【００１８】
順番にワイヤレス通信装置１２は、多重化信号に関する受信信号品質のフィードバックを提供し、それによりネットワーク１０（例えば送受信ノード２０の送信機）は、受信信号品質のフィードバックに基づいて、送信リンク適応を実行することができる。特にワイヤレス通信装置１２は、ワイヤレス通信装置１２によって受信された多重化信号に対応する（送信の）流れ特有の受信信号品質の変化量を反映した受信信号品質のフィードバックを提供するように構成される。受信信号品質の流れ特有の変化量を明確に（または暗に）示すフィードバックを提供することにより、多重化信号に関して実行される送信リンク適応が、かかる変化量から生じる受信信号品質の損失について補償されることができる。
【００１９】
この例に限定されるわけではないが、ワイヤレス通信ネットワーク１０は広帯域符号分割多重接続（Ｗ−ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワークからなることができ、送受信ノード２０に含まれる送信機回路は、多重化信号として高速下り回線共有チャネル（ＨＳ−ＤＳＣＨ：Ｈｉｇｈ−Ｓｐｅｅｄ  Ｄｏｗｎｌｉｎｋ  Ｓｈａｒｅｄ  Ｃｈａｎｎｅｌ）信号を送信するように構成されることができる。チャネルの効率的なデータ速度を増加することは、ＨＳ−ＤＳＣＨ信号の空間多重化方式の１つの有利な点を意味する。このネットワーク１０の実施形態の補完として、ワイヤレス通信装置１２は、移動局、ターミナル、またはＷ−ＣＤＭＡネットワークにおける使用のために構成されたその他のワイヤレス通信装置の種類からなることができる。
【００２０】
ここで特に興味深いのは、ワイヤレス通信装置１２は、受信した多重化信号に関する受信信号品質のフィードバックを、直接的または間接的に、多重化信号に関する流れ特有の受信信号品質の変化量を反映して提供することである。前記のとおり、かかる変化量は効率的な受信信号品質の損失を引き起こす。すなわち、フィードバックにおいて損失を反映することで、多重化信号に関してネットワーク１０によって実行されている送信リンク適応は、当該損失を補償することができることとなる。ここで詳述すると、ワイヤレス通信装置１２は、流れ特有の受信信号品質をフィードバックすることにより、またはパラメータ化された変化量の情報をフィードバックすることによるなどして直接的に流れ特有の受信信号品質の変化量を反映することができる。またはワイヤレス通信装置１２は、すでに変化量に関して補償された効率的な受信信号品質をフィードバックすることなどにより間接的に、流れ特有の受信信号品質の変化量を反映することができる。
【００２１】
図２は、送受信ノード２０と、変化量のフィードバックまたは対応する送信リンク適応を直接的または間接的にサポートするワイヤレス通信装置１２とを示す。送受信ノード２０は送信機３０と、受信機３２と、ＲＮＣインターフェイス回路３４と、複数の送信アンテナ３６−１〜３６−Ｍと、１または２以上の受信アンテナ３８とからなる。
【００２２】
送信機３０は、空間多重化送信機からなる。かかる空間多重化送信機は、多重化送信機から遠隔受信機（例えば、ワイヤレス通信装置１２）に多重化信号を送信するように構成された無線送信回路４０と、多重化信号に関して遠隔受信機によって計算される流れ特有の受信信号品質の変化量を反映する遠隔受信機からのフィードバックを受信するように構成された、１または２以上のインターフェイス回路４２とからなる。これらの流れ特有の変化量は、多重化信号をワイヤレス通信装置１２に送信するのに使用されている送信アンテナ３６のそれぞれに関連する。
【００２３】
送信機３０はさらに、前記の流れ特有の受信信号品質の変化量が原因で遠隔受信機において生じる受信信号品質の損失を評価することに基づいて、遠隔受信機に関する効率的な受信信号品質を決定するように構成された計算回路４４と、当該効率的な受信信号品質の関数として、多重化信号の１または２以上の送信パラメータを制御することにより、（多重化信号に関する）送信リンクを適応させるように構成された送信リンク適応制御回路４６とからなる。
【００２４】
図において、ワイヤレス通信装置１２は、ワイヤレス通信受信機からなる。かかるワイヤレス通信受信機は、流れ特有の受信信号品質の変化量が原因で受信機において生じる受信信号品質の損失に関して、空間多重化送信機（例えば、送受信ノード２０の送信機３０）が送信リンク適応を補償することができるように構成されている。これを受けて、ワイヤレス通信装置１２は、１または２以上の受信／送信アンテナ５０と、受信回路５２と、送信機回路５４と、計算回路５８を含むまたは計算回路５８と関連付けられる１または２以上の（ベースバンド）処理回路５６からなる。
【００２５】
計算回路５８は、空間多重化送信機からワイヤレス通信装置１２に送信された多重化信号に関する流れ特有の受信信号品質を計算し、空間多重化送信機に戻すために、流れ特有の受信信号品質の変化量を反映する受信信号品質のフィードバックを生成するように構成される。すなわち、送受信ノード２０の送信機３０がワイヤレス通信装置１２へ多重化信号を送信し、ワイヤレス通信装置１２の計算回路５８が、多重化信号に関する受信信号品質の（送信の）流れ特有の変化量を反映する受信信号品質のフィードバックを、送信機３０に戻すために生成する。
【００２６】
フィードバックにおいてかかる変化量を反映することにより、ワイヤレス通信装置１２に送信されている多重化信号に関して、送受信ノード２０によって実行される送信リンク適応は、変化量から生じる損失に関して補償されることができる。図３はかかる変化量に関連する損失曲線の典型的な一式を示し、ここで図のそれぞれの曲線は、送信符号化率およびｄＢ単位で表した変化量の規模の関数として、効率的な受信信号品質における損失をプロットしている。例えば、符号化率が０．９で、流れ特有の受信信号品質の変化量が９ｄＢの場合、ワイヤレス通信装置１２は、効率的な受信信号品質において約５ｄＢの損失を受けることが図よりわかる。もちろん、図３は単なる例に過ぎず、他の特有の設計状況に適用される損失曲線はこれと異なることが理解されるべきである。
【００２７】
図４は、Ｗ−ＣＤＭＡの実行における送受信機２０の使用のための送信機３０の実施形態の１つを表現する状況の１つを示す。送信機の（無線）資源は、変調器（ｍｏｄｕｌａｔｏｒ）／符号器（ｅｎｃｏｄｅｒ）６０と、１：Ｎのデマルチプレクサ（ｄｅｍｕｌｔｉｐｌｅｘｅｒ）６２と、複数の拡散回路（ｓｐｒｅａｄｉｎｇ  ｃｉｒｃｕｉｔ）６４と、最適なＮ（ｂｅｓｔ−Ｎ）の送信アンテナ選択器６６と、複数の加算増幅回路（ｓｕｍｍｉｎｇ  ｃｉｒｃｕｉｔ）６８とからなる。
【００２８】
個々の拡散したサブ流れ（ｓｕｂｓｔｒｅａｍ）の一式として形成される（空間）多重化信号は、多重化信号のサブ流れと１または２以上の“その他の信号”を表す合成信号を、送信アンテナ３６へ提供する合成回路（ｃｏｍｂｉｎｉｎｇ  ｃｉｒｃｕｉｔ）６８を通じて、Ｍの送信アンテナ３６の一式から送信アンテナ選択器６６によって選択された、Ｎの選択されたアンテナから送信される。通常、前記のその他の信号は、パイロット信号、制御または放送信号、個別音声（ｄｅｄｉｃａｔｅｄ  ｖｏｉｃｅ）またはデータ信号などからなる。換言すると、その他の信号は、１または２以上の送信アンテナ３６から送信される多重化信号に加えられる信号の集合を現す。
【００２９】
多重化された入力信号（すなわち、ＨＳ−ＤＳＣＨのビット流れ）の変調化（ｍｏｄｕｌａｔｉｎｇ）および符号化（ｅｎｃｏｄｉｎｇ）のために、変調器／符号器６０によって選択された特定の変調フォーマットおよび送信符号化率は、選択された“変調および符号方式（Ｍｏｄｕｌａｔｉｏｎ  ａｎｄ  Ｃｏｄｉｎｇ  Ｓｃｈｅｍｅ）”または“ＭＣＳ”と言及される。選択された変調フォーマットおよび送信符号化率の組合せは、多重化信号の受信を目的としたワイヤレス通信装置１２において、変化する受信信号品質に応じて変化する。特に、ＨＳ−ＤＳＣＨのようなチャネルのように、大多数のワイヤレス通信装置１２（ユーザ）が、時間多重化されたスケジュールに従って、チャネルにより個々に取り扱われる場合には、ＭＣＳは、それぞれのユーザからの受信信号品質のフィードバックの関数として、それぞれのユーザへのそれぞれの送信のために変化することができる。
【００３０】
すなわち、受信信号品質のフィードバックに応じてＭＣＳを変化することは、送信リンク適応の一形式である。さらに制御回路４６は、対象となるワイヤレス通信装置１２によって計測された流れ特有の受信信号品質の変化量に直接的にまたは間接的に基づく制御回路４４からの入力に基づいて、ＭＣＳの選択を補償するように構成さる。したがって、送信機３０によるＭＣＳの選択は、対象となるワイヤレス通信装置１２において、かかる変化量が原因で生じる信号品質の損失に関して補償される。
【００３１】
数学的には、多重化信号に関する送受信ノード３０の送信リンク適応は、対象となるワイヤレス通信装置１２における流れ特有の受信信号品質の変化量の影響を組み込んだ、効率的な受信信号品質に基づいていると言うことができる。すなわち、所定のワイヤレス通信装置１２に関して、その効率的な受信信号品質、例えば効率的な信号対干渉＋雑音比（ＳＩＮＲ）は、通常下記の２つの事項の関数である。ここで２つの事項とは、（１）空間多重化信号を送信するのに使用されている送信アンテナ３６のそれぞれからの異なったフェージング・パス（ｆａｄｉｎｇ  ｐａｔｈ）が原因で、装置の復号器（ｄｅｃｏｄｅｒ）入力において見られる複数の異なったＳＩＮＲ値と、（２）多重化信号に関して使用される符号化率および変調フォーマット、すなわち選択されたＭＣＳである。
【００３２】
すなわち、所定のワイヤレス通信装置１２に関する効率的な受信信号品質の定義は、単純には、装置の復号器入力において生じる流れ特有のＳＩＮＲの平均を、損失係数Ｌ≧１によって除算することである。すなわち効率的な受信信号品質は次式（１）で表される。
【００３３】
【数１】
2008543164.tif 000003
ここで平均ＳＩＮＲ値γａｖｇは次式（２）で表される。
【００３４】
【数２】
2008543164.tif 000004
ここで異なるγｎの値は、対象となる装置の復号器入力において見られるＮの異なるＳＩＮＲである。ＳＩＮＲ値の幅（ｓｐｒｅａｄ）が増加するにつれて、および／または送信符号化率が増加するにつれて損失は大きくなる。これらの効果は図３で示した損失曲線においても確認することができる。
【００３５】
損失効果は、例えば図５に示すＭＣＳ選択テーブルに基づいて、変調器／符号器６０のＭＣＳ選択を制御するために使用されることができる。図に示す軸は受信信号品質（例えばｄＢ単位で表したＳＩＮＲ）に対応し、軸上の区分点は、複数の異なるＭＣＳに対する最小の信号品質点（切替しきい値）に対応している。例えば、ｓ１はＭＣＳ１の使用のための最小の信号品質のしきい値に対応し、ｓ２はＭＣＳ２の使用のための最小の信号品質のしきい値に対応し、他も同様となる。換言すると、信号品質は、ＭＣＳ１を使用するためには切替しきい値ｓ１を超えなければならず、ＭＣＳ２を使用するためには切替しきい値ｓ２を超えなければならず、他も同様とならなければならない。
【００３６】
図に示す例では、ポイントＡは、ワイヤレス通信装置１２によって報告される仮の補償されていない受信信号品質に対応する。（信号品質はＳＩＮＲの量子化された計測として報告されることができ、例えば装置１２は通常ＣＱＩ値として言及される“チャネル品質指標（Ｃｈａｎｎｅｌ  Ｑｕａｌｉｔｙ  Ｉｎｄｉｃａｔｏｒ）”を報告することができる。）ポイントＢは、ＭＣＳ１の使用に対応して、損失Ｌ１について受信信号品質を補償することにより得られた、対応する効率的な受信信号品質を表す。同様に、ポイントＣは、ＭＣＳ２の使用に対応して、損失Ｌ２について受信信号品質を補償することにより得られた、対応する効率的な受信信号品質を表し、ポイントＤは、ＭＣＳ３の使用に対応して、損失Ｌ３について受信信号品質を補償することにより得られた、対応する効率的な受信信号品質を表す。
【００３７】
したがってＭＣＳの選択の処理は、ワイヤレス通信装置１２において得られる効率的な受信信号品質の損失について補償される。特に、図に示す例においては、効率的な受信信号品質（ポイントＢ）は、ＭＣＳ１に関するｓ１切替しきい値を上回っていることがわかる。すなわち、ワイヤレス通信装置１２への多重化信号の送信を使用するために、ＭＣＳ１を選択することができる。同様に、効率的な受信信号品質（ポイントＣ）は、ＭＣＳ２に関するｓ２切替しきい値を上回っている。すなわち、ワイヤレス通信装置１２への多重化信号の送信を使用するために、ＭＣＳ２を選択することができる。しかし、効率的な受信信号品質（ポイントＤ）は、ＭＣＳ３に関するｓ３切替しきい値を下回っている。すなわち、ＭＣＳ３は選択されることができない（または選択されるべきではない）。したがって、制御回路４６は、変調器／復号器６０にＭＣＳ３ではなく、ＭＣＳ１またはＭＣＳ２を選択するように指示する。
【００３８】
図示した送信機の構造について、上記事項を考慮したうえでさらに検討すると、ＨＳ−ＤＳＣＨのビット流れの変調化／符号化された種類は、それぞれのサブ流れが１／Ｎの符号率（ｓｙｍｂｏｌ  ｒａｔｅ）を有するＮのサブ流れに入力される信号を、逆多重化する１：Ｎのデマルチプレクサ６２へ入力するために、変調器／符号器６０によって出力される。Ｎの数字は、ＨＳ−ＤＳＣＨ信号を空間多重化するのに使用される送信アンテナ３６の数を表す整数値である。Ｎのサブ流れのそれぞれは、対応する拡散回路（ｓｐｒｅａｄｉｎｇ  ｃｉｒｃｕｉｔ）６４のうちの1つによって拡散され、アンテナ選択器６６に入力される。かかるアンテナ選択器６６は、多重化されたＨＳ−ＤＳＣＨ信号の個々のサブ流れを送信するために可能な、Ｍのアンテナ３６のうちＮを選択する（ＮはＭ以下）。１または２以上の実施形態においては、対象となるワイヤレス通信装置１２は、パイロット強さのフィードバック、またはその他のチャネルフィードバックを提供し、１または２以上の空間多重化モードのそれぞれに関して、最適な送信アンテナを示すことができる。アンテナ選択器６６は、かかるフィードバックに基づいて、Ｎの送信アンテナ３６の特定の組合せを選択することができる。
【００３９】
もちろん、かかるフィードバックの性質は、ここで述べる方法の異なる実施形態に従って変化する。ある１の観点においては、かかる変化は、対象となるワイヤレス通信装置１２が、補償された受信信号品質をフィードバックすることにより、流れ特有の受信信号品質の変化量を反映するか否かに一般的に関連し、または、対象となるワイヤレス通信装置１２が、変化量を可能であればパラメータ化された形式で直接フィードバックすることにより、送受信ノードが、補償された受信信号品質を生成することができるか否かに一般的に関連する。
【００４０】
例えば、図６はワイヤレス通信装置１２によって実行される処理論理の実施形態の１つを示す。図示する実施形態においては、計算回路５８は、多重化信号に関して決定された流れ特有の受信信号品質の関数として、多重化信号に関する受信信号品質を計算し、流れ特有の受信信号品質の変化量の関数として、受信信号品質に関する損失パラメータを決定する（ステップ１００）ように構成されている。さらに計算回路５８は、当該受信信号品質および当該損失パラメータに基づいて、フィードバックに関する受信信号品質の情報を生成する（ステップ１０２）ように構成されている。
【００４１】
受信信号品質の計算は、多重化信号に関して定義された１または２以上の多重化モードのそれぞれに関するモード特有の受信信号品質を計算することからなることができる。かかる場合に、損失パラメータの決定は、それぞれのモードに関する流れ特有の受信信号品質の変化量の関数として、１または２以上の符号化率に依存する損失パラメータを決定することからなることができる。実施形態の１つにおいては、装置１２は、多重化信号と関連付けられた１または２以上の多重化モードのそれぞれに関するチャネル品質指標（ＣＱＩ：Ｃｈａｎｎｅｌ  Ｑｕａｌｉｔｙ  Ｉｎｄｉｃａｔｏｒ）値を計算し、それぞれのＣＱＩに関して、１または２以上の符号化率に依存する損失パラメータを決定することで、受信信号品質情報が、モード特有のＣＱＩ値および対応する符号化率に依存する損失パラメータからなる。
【００４２】
多重化信号が、１または２以上の空間多重モードのそれぞれにおいて、異なった数の送信アンテナから送信される空間多重化信号からなる場合においては、装置１２は、それぞれの空間多重化モードにおける送信アンテナの最適な組み合わせに関する受信信号品質を計算することができる。すなわち、それぞれの多重化モードに関して、装置１２は、当該多重化モードにおけるアンテナの最適な組み合わせに関する流れ特有の受信信号品質の変化量の関数として、１または２以上の符号化率に依存する損失パラメータを決定することができる。
【００４３】
詳細な例として、ワイヤレス通信装置１２は、Ｎの選択された送信アンテナ３６のＮのサブ流れとして送信された多重化信号として、送信機３０からＨＳ−ＤＳＣＨ信号を受信する。すなわち、ワイヤレス通信装置１２は、例えば、それぞれのサブ流れのＳＩＮＲを計測するために、受信回路５２を使用することに基づいて、Ｎのアンテナに特化した受信信号品質を決定する。ワイヤレス通信装置１２は、送信機３０にフィードバックするために、例えばＮのＣＱＩ値といった、計測されたＳＩＮＲのＮのアンテナに特化した量子化を生成することができる。ここで数値Ｎは、それぞれの空間多重化モードにおいて変化し、ワイヤレス通信装置１２は、それぞれの可能なモードに関して、かかる情報を返すように構成されることが理解できる。Ｎ＝１のモードの場合、すなわち信号がアンテナ３６のうちの１つのみから送信される場合は、複数のアンテナを通じたＳＩＮＲの変化量が存在しないため、変化量に関連する損失値は単一である。
【００４４】
図７は、送受信ノード２０の送信機３０によって実行される補完的な処理論理を示す。この場合において、送信機３０は、２またはそれ以上の信号流れからなる多重化信号を受信する受信機によって得られる受信信号品質の損失の補償方法を実行する１または２以上の処理回路を含む。少なくとも実施形態の１つにおいては、当該方法は、多重化信号に関する受信信号品質と、多重化信号の流れ特有の受信信号品質の変化量を示す損失パラメータとを受信し（ステップ１０４）、当該受信信号品質および当該損失パラメータの関数として、多重化信号の１または２以上の送信パラメータを制御する（ステップ１０６）ことからなる。
【００４５】
送信機３０は、多重化信号に関連付けられた１または２以上の多重化モードのそれぞれに関して、受信信号品質および損失パラメータを受信することができる。すなわち送信機３０は、当該多重化モードに関して受信された損失パラメータに基づいて、それぞれの多重化モードにおける、多重化信号に関する符号化率に依存する信号品質の損失を計算することができる。この情報により、送信機３０は、多重化モードに関して計算された符号化率に依存する信号品質の損失に基づいて、それぞれの多重化モードにおいてサポート可能な最大の符号化率を識別することができる。さらにこの情報により、送信機３０は、多重化モード間における最大の符号化率を比較することに基づいて、多重化信号に関して使用する多重化モードおよび符号化率を選択することができる。少なくとも１の実施形態においては、送信機３０は、それぞれの多重化モードにおいて可能な符号化率に関する効率的な受信信号品質を決定するために、符号化率に依存する損失を使用する。さらに送信機３０は、それぞれのモードにおいてサポートされることができる符号化率を識別するために、かかる効率的な受信信号品質を、異なる符号化率に関して定義された信号品質しきい値と比較する。
【００４６】
しかし、かかる詳細に関わらず、送信機３０にフィードバックされる受信信号の情報は、多重化信号の送信が可能な１または２以上の多重化モード（符号および／または空間多重化モード）のそれぞれに関するモード特有の受信信号品質、および対応するモード特有の損失パラメータからなることが理解されるべきである。かかる実施形態において、モード特有の受信信号品質は、対応する多重化モードの多重化信号に関する流れ特有の受信信号品質の関数として計算され、モード特有の損失パラメータは、それぞれの多重化モードに関する流れ特有の受信信号品質の変化量を示す。
【００４７】
かかる場合に、送信機３０は、モード特有の受信信号品質の指標（ｉｎｄｉｃａｔｏｒ）と、モード特有の損失パラメータから計算された符号化率に依存する多くの信号品質損失と、情報を作成する符号化率に依存する信号品質損失とに基づいて、それぞれの多重化モードにおける効率的な受信信号品質を決定することができる。送信機３０はその後、効率的な受信信号品質と符号化率に依存する信号品質のしきい値との比較に基づいて、多重化モードおよび符号化率のうちから１つを選択するために、効率的な受信信号品質を使用することができる。例えば、送信機３０は、送信の変調および符号化の選択の組み合わせに基づいて、多重化信号の送信リンクを適応することができる。ここでかかる符号化の選択は、最速の符号化率と、かかる組み合わせに関して計算された効率的な受信信号品質を下回る対応する最小の受信信号品質を有する。
【００４８】
特定のフィードバックのフォーマットに関わらず、送信機３０は、多重化信号の１または２以上の送信パラメータの制御において、効率的な（補償された）受信信号品質を使用することができる。これらの効率的な受信信号品質は、遠隔受信機において計測される見かけ上の（ａｐｐａｒｅｎｔ）受信信号品質より一般に減少される。かかる見かけ上の受信信号品質は、変化量が原因で遠隔受信機において生じる受信信号品質の効率的な減少を含むためである。例えば図３の損失曲線および図５のＭＣＳ選択線を参照する。すなわち、送信機３０は、空間送信多重化信号に関する最適な送信リンク適応を生成するために、損失を補償した効率的な受信信号品質を使用することができる。
【００４９】
例えば、多重化されたＨＳ−ＤＳＣＨ信号に関しては、送信機３０は、１または２以上の空間多重化モードのそれぞれに関するＣＱＩ値を、それぞれのかかるモードに関して対応する変化量と同時に受信することができ、流れ特有のＳＩＮＲの幅、またはそれぞれのかかるモードに関して量子化されたＣＱＩを反映することができる。かかる情報により、送信機３０は、それぞれのモードに関する効率的なＣＱＩを計算し、要求される最大誤り率においてサポートされることが可能な、最大率のＭＣＳを決定するために、当該効率的なＣＱＩを使用するように構成されることができる。例えば、１０％のブロックまたはビット誤り率の制限を使用すると、送信機３０は、それぞれの空間多重化モード関する最大率のＭＣＳ選択を決定し、それぞれのモードにおいてサポート可能な最大率を比較し、それらから最適なものを選択する。
【００５０】
図８は、上記処理論理の実施形態の１つを示したもので、この場合において、送受信ノード２０は、流れ特有の受信信号品質の一式を、対象となるワイヤレス通信装置１２からのフィードバックとして受信する（ステップ１１０）。すなわち、送受信ノード２０の送信機３０は、１または２以上の空間多重化モードのそれぞれに関して、ワイヤレス通信装置１２によって生成された流れ特有の受信信号品質の計測値の一式としての形式からなるフィードバックを受信する。例えば、Ｍの可能な空間多重化モードのそれぞれに関しては、ワイヤレス通信装置１２においてモードｍに関する異なるｍのＳＩＮＲが存在し、すべてのＭのモードに関する合計のＳＩＮＲは字式で表される。
【数３】
2008543164.tif 000005
【００５１】
オプションのステップとして、送信機３０は、多重化信号に関して送信機３０によって生成される実際の送信電力および符号割り当て（ａｌｌｏｃａｔｉｏｎ）と、受信信号品質の計算のために、ワイヤレス通信装置１２によって推定された送信電力および符号割り当てとの間の差異を計上するために、報告された信号品質を増減する（ｓｃａｌｅ）ように構成されることができる（ステップ１１２）。
【００５２】
すなわち、ワイヤレス通信装置１２における実際の受信信号品質は、多重化信号に関して送信機３０において生成される実際の送信電力および符号割り当てに依存し、変化する資源の利用可能性が原因で次々と変化する。実際の割り当てが、ワイヤレス通信装置１２によって評価される割り当てと異なる限りは、フィードバックは“誤り”となり、送信機３０による適切な増加（ｓｃａｌｉｎｇ  ｕｐ）または減少（ｓｃａｌｉｎｇ  ｄｏｗｎ）により、誤りを修正することができる。別の方法として、送信機３０は、送信電力および符号割り当てに関する情報をワイヤレス通信装置１２に送信するように構成されることで、ワイヤレス通信装置１２が正確な割り当ての情報を有することができ、送信機３０によるフィードバックの増減の必要性を未然に防ぐことができる。
【００５３】
例えば、空間多重化されたＨＳ−ＤＳＣＨ信号に関しては、ワイヤレス通信装置１２は、所定のモードｍのｎ番目のアンテナに関するγｎ（ｍ）と表されるＳＩＮＲを報告する。これらの報告されたＳＩＮＲのそれぞれは、評価された割り当てが実際の割り当てよりも小さい場合には増加され、または評価された割り当てが実際の割り当てよりも大きい場合には減少されることができる。
【００５４】
図示した処理論理について続けると、送信機３０は、１または２以上の空間多重化モードのそれぞれにおける、１または２以上のＭＣＳ選択に関する受信信号品質の損失を計算する（ステップ１１４）。特に、図に示す処理に関しては、送信機３０の計算回路４４は、１または２以上の空間多重化モードのそれぞれに関して報告された流れ特有のＳＩＮＲに基づいて、活動状態の送信アンテナ３６にわたる平均ＳＩＮＲを計算するように構成されている。この平均化処理は次式で表すことができる。
【００５５】
【数４】
2008543164.tif 000006
その後、送信機３０は、それぞれのモードに関して、受信信号品質における変化量に関連する損失を決定するために、例えば図３に示した曲線に基づいた適切な損失モデルを使用する。すなわち、計算された損失とともに、対応する損失によってモードに関して決定された平均ＳＩＮＲを補償することにより、送信機３０はそれぞれのモードに関する効率的なＳＩＮＲを決定することができる。
【００５６】
すなわち、損失テーブル（送信機３０と関連するメモリに記憶されている）へのｉ番目の入力に関するＳＩＮＲ損失として、Ｌｉ（ｍ）と表すことができる。したがって、送信機３０の計算回路４４および／または制御回路４６は、最大率のＭＣＳを検出するように構成されることで、効率的なＳＩＮＲを当該ＭＣＳに関する切替点（品質しきい値）よりも大きくすることができる。すなわち、γａｖｇ（ｍ）／Ｌｉ（ｍ）≧ｓｉ（ｍ）となる。ここでｓｉ（ｍ）は、所定のモードにおけるｉ番目のＭＣＳに関する信号品質の切替点である。通常その後、送信機３０は、それぞれのモードにおける最大率のＭＣＳを識別するように構成されることで、ＳＩＮＲ損失について補償された効率的な受信信号品質が、それぞれのＭＣＳに関して定義された最小の要求信号品質を上回るようにすることができる（ステップ１１６）。
【００５７】
これらの処理が完了すると、送信機３０は、それぞれの判断された空間多重化モードにおいてサポート可能な最適なＭＣＳを比較し、最大率のサポート可能なＭＣＳを有するモードを選択するように構成される。すなわち、送信機３０は、それぞれの可能な空間多重化モードにおいてサポート可能な最適のＭＣＳの比較に基づいて、多重化信号の送信に関する最適モードを選択する（ステップ１１８）。ここで、最大率のＭＣＳが必要ない場合には、送信機３０は、別のモードおよび／または率を選択することができる。例えば、対象となるワイヤレス通信装置１２に関して、送信機３０の送信キューにおけるデータが不十分である場合、最適ではないモードが選択されること、または最適モードの範囲内においてより低い率のＭＣＳが使用されることがある。
【００５８】
１または２以上の多重化モードのそれぞれに関して特徴付けられた（流れ特有の）品質計測をそのまま戻すことにより、ワイヤレス通信装置１２からのフィードバックにおける流れ特有の受信信号品質の変化量を反映した上記実施形態の一方で、図９は、フィードバックがいまだかかる変化量を反映しているが、より少量のフィードバックを反映している実施形態を示す。上り方向のリンク（ｒｅｖｅｒｓｅ  ｌｉｎｋ）の負荷が心配される場合、または単純に制御量および信号オーバヘッド（ｓｉｇｎａｌｉｎｇ  ｏｖｅｒｈｅａｄ）が好ましくないほど高い場合は、フィードバック量の削減が要求される。
【００５９】
特に、図９および図１０は、受信信号品質のフィードバックを生成するワイヤレス通信装置１２の実施形態（図９）、および当該フィードバックに応じて送信リンク適応を実行する送信機３０の実施形態（図１０）の１つを示す。さらに広く言えば、ワイヤレス通信装置１２は、受信信号品質の流れ特有の変化量を反映し、効率的な受信信号品質を戻すことにより多重化信号に関する計測をする。効率的な受信信号品質は、例えば、適切な損失値によって増減された、流れ特有の受信信号品質とすることができる。
【００６０】
すなわち、図９における処理は、ワイヤレス通信装置１２が、１または２以上の空間多重化モードのそれぞれに関する流れ特有の受信信号品質を決定することから始まる（ステップ１２０）。これは、事前に設定（または承諾）された名目上の送信電力および符号割り当てを使用するそれぞれの可能なモードｍ＝１、２、．．．、Ｍに関して、最適なアンテナ選択のための異なったＳＩＮＲである
【数５】
2008543164.tif 000007
を選択することからなることができる。
【００６１】
それぞれのモードに関して、ワイヤレス通信装置１２は、平均受信信号品質を計算するために、上記の流れ特有の情報を使用する（ステップ１２２）。例えば、それぞれのモードに関して、当該モードのために選択された特定のアンテナ、または当該モードに対応した特定のアンテナにわたる平均ＳＩＮＲ、すなわち
【数６】
2008543164.tif 000008
を計算することができる。さらに、それぞれのモードに関して、ワイヤレス通信装置１２は、損失モデルまたは他の損失計算に従って、当該モードに関して可能な１または２以上のＭＣＳ選択のそれぞれに関する受信信号品質の損失を計算する（ステップ１２４）。それぞれのモードに関して可能なＭＣＳ選択を認識するＭＣＳテーブルは、一般に、送信機３０によって使用されるものと同一とするべきである。適切な損失モデルは、ワイヤレス通信装置１２に含まれている記憶装置に記憶された、１または２以上のルックアップ・テーブルからなることができる。かかるテーブル（または複数のテーブル）は、例えば図３に示す損失曲線に基づく。損失計算もまた、損失を生成する損失式を解くことに基づくことができる。
【００６２】
いずれの場合においても、それぞれのモードに関して、ワイヤレス通信装置１２が、当該モードにおいて可能な最大率のＭＣＳの選択を認識するように構成されることで、効率的な受信信号品質を、当該ＭＣＳと関連付けられた最小信号品質より大きくすることができる（ステップ１２６）。例えば、モードｍに関して、損失テーブルへのｉ番目の入力に関するＳＩＮＲ損失として、Ｌｉ（ｍ）を表すことができる（ここでモードｍ＝１の場合、すなわちＬｉ（１）に関しての損失は常に単一である。すなわち損失計算が必要とならない）。この損失記録を使用し、ワイヤレス通信装置１２は、式（４）に基づいてそれぞれのモードにおいてサポートされる最大率のＭＣＳを識別することができる。
【００６３】
【数７】
2008543164.tif 000009
ここでｓｉ（ｍ）は、モードｍにおけるｉ番目のＭＣＳに関する切替点、すなわち、信号品質の最小値である。
【００６４】
上記処理により、ワイヤレス通信装置１２はその後、Ｍモードのそれぞれに関して、ステップ１２６で識別された最高率のＭＣＳに対応した効率的な受信信号品質をフィードバックする（ステップ１２８）。例えば、ワイヤレス通信装置１２は、Ｍの可能な空間多重化モードのそれぞれに関して、γｅｆｆ、ｉ（ｍ）をフィードバックすることができる。
【００６５】
図１０は、送信機３０における補完的な処理を示し、この場合において、送信機３０は、Ｍの可能な空間多重化モードのそれぞれに関する効率的な受信信号品質の形式において、ワイヤレス通信装置１２における流れ特有の受信信号品質の変化量を反映するフィードバックを受信する（ステップ１３０）。任意として、送信機３０は、必要に応じて、送信機３０における実際の送信電力および符号割り当てと、受信信号品質の計算において、ワイヤレス通信装置１２によって評価される割り当てとの間の差異を計上するために、報告された値を増加または減少する（ステップ１３２）。
【００６６】
送信機３０が、それぞれのモードにおいてサポートされることができる最大率のＭＣＳを識別するために、ワイヤレス通信装置１２によって使用されるようなＭＣＳ選択テーブルに、報告された効率的な受信信号品質を単純にマッピング（ｍａｐｐｉｎｇ）することで、処理が継続する（ステップ１３４）。送信機３０は、サポートされることが可能な最大率のＭＣＳに対応したモードを選択する。またはかかるデータ率が必要でない場合は、送信機３０は、当該モードから、または可能なモードのうちの別の１つからより低い率のＭＣＳを選択する（ステップ１３６）。いずれの場合においても、多重化信号に関する送信機３０による送信リンク適応は、流れ特有の受信信号品質の変化量からワイヤレス通信装置１２において生じる損失に関して補償される。
【００６７】
図１１および図１２は、受信信号品質のフィードバックを生成するワイヤレス通信装置１２の別の実施形態（図１１）、および当該フィードバックに応じた送信リンク適応を実行する送信機３０の別の実施形態（図１２）を示す。図１１に示す処理は、ワイヤレス通信装置１２が、１または２以上の空間多重化モードのそれぞれに関して、流れ特有の受信信号品質を決定することから始まる（ステップ１４０）。前記のとおり、このステップは、１または２以上の多重化モードのそれぞれにおいて使用される、特定の送信アンテナ３６のそれぞれに関する異なったＳＩＮＲを評価するワイヤレス通信装置１２からなることができる。
【００６８】
ワイヤレス通信装置１２が、それぞれのモードに関して、受信信号品質の平均および最大の受信信号品質の幅を計算することで処理は継続する（ステップ１４２）。それぞれのモードに関する最大の幅は、所定のモードに関するｍの個々のアンテナのＳＩＮＲの間において、
【数８】
2008543164.tif 000010
として計算されることができる。ワイヤレス通信装置１２は、それぞれのモードに関する受信信号品質の情報を送受信ノード２０に送信して戻し、当該情報は送信機３０へ転送される（ステップ１４４）。
【００６９】
この状況においてフィードバック情報は、平均ＳＩＮＲと、最大および最小のＳＩＮＲまたはそれらの差異を送信することによって表されることができる最大のＳＩＮＲの幅からなることができる。かかる情報は、それぞれのモードに関して送信されることができる。さらにこの方式においては、流れ特有の受信信号品質の変化量を特徴付けることで、ワイヤレス通信装置１２からのフィードバック量を削減すると同時に、送信機３０は、かかる変化量から生じる損失に関して送信リンク適応を補償できることが理解されるべきである。
【００７０】
送信機３０によるかかる補償の実施形態の１つを理解するのに、この例に限定されるわけではないが、Ｍ＝４の送信アンテナと、空間多重化モード４の使用（すなわち、すべての４つの送信アンテナ３６の使用）を想定することができる。かかる例に関しては、ワイヤレス通信装置１２は、平均ＳＩＮＲ値を、受信信号品質の最大幅と共に戻すことができる。かかる最大幅は、ワイヤレス通信装置１２によって計測された最小の流れ特有のＳＩＮＲと、最大の流れ特有のＳＩＮＲとの間の差異として表現されている。中間の２つのＳＩＮＲは送信機３０にフィードバックされない。すなわち当該２つのＳＩＮＲはフィードバックから欠落しているため、送信機３０は、ワイヤレス通信装置１２に関して、受信信号品質における変化量に関連する損失を一意的に決定することができない。しかし、送信機３０は、信頼区間を利用して確率的な意味において損失を決定することができる。
【００７１】
例えば、送信機３０は、１または２以上の異なる変調フォーマットおよび異なる符号化率、例えば四相位相変調（Ｑｕａｄｒａｔｕｒｅ  Ｐｈａｓｅ  Ｓｈｉｆｔ  Ｋｅｙｉｎｇ）、直交振幅変調（Ｑｕａｄｒａｔｕｒｅ  Ａｍｐｌｉｔｕｄｅ  Ｍｏｄｕｌａｔｉｏｎ）などに従って、所定のＳＩＮＲの幅に関するＳＩＮＲ損失の分布をメモリに記憶することができる。当該損失評価の作成において、送信機３０は、一般に信号品質の損失に関して適用できる更なる統計的特長、例えば、ＳＩＮＲの平均や標準偏差が一般に符号化率に応じて増加し、また最大幅に応じて増加するという事実などを利用することができる。
【００７２】
すなわち、送信機３０は、ある間隔において損失が降下する可能性が目標値、例えば９０％で固定されるように定義された信頼区間を構築することができる。損失の平均と標準偏差を、それぞれμ（ｒ、Δ）およびσ（ｒ、Δ）と示し、ここでｒは符号化率と等しく、Δは最大ＳＩＮＲ幅と等しいとすると、信頼区間は「０、Ｌｐ」で与えられ、Ｌｐは次式で表される。
【００７３】
【数９】
2008543164.tif 000011
上記式において、ｆｐ（ｒ、Δ）は、信頼区間内において損失が降下する確立がＰ、例えばＰ＝９０％であることを保証するために選択された標準偏差における乗数を意味する。当該乗数は、ＳＩＮＲ幅Δ、符号化率ｒ、および変調種類の関数である。
【００７４】
Ｌｐ値は事前に計算され、送信機３０のメモリに記憶されることができる。すなわち、送信機３０が、ＳＩＮＲ幅をフィードバックとして受信したときは、特定のモードに関するテーブルからＬｐを調査するために、特定のＭＣＳに関する当該幅および符号化率を使用することができる。当該調査値は、当該モードおよびＭＣＳに関するＳＩＮＲ損失の境界（ｂｏｕｎｄ）としての役目をする。すなわち送信機３０は、ＭＣＳ選択処理において、ワイヤレス通信装置１２における実際のＳＩＮＲ損失はＬｐを超えることがほとんどないことを認識した上で、実際の損失値を使用するよりも、当該境界を使用する。
【００７５】
別の方法として、単一の乗数Ｆｐは、符号化率およびＳＩＮＲ幅とは独立して使用されることで、確率が、Ｐまたは区間「０、Ｌｐ＋」における損失降下よりも大きくなることができる。ここでＬｐ＋は次式で表される。
【００７６】
【数１０】
2008543164.tif 000012
例えば、固定された乗数Ｆｐ＝１．５（所定の符号化率とＳＩＮＲ幅の組み合わせに関するＬｐ値の前述したテーブルにおける、ｆｐ（ｒ、Δ）の例としての最大値よりもわずかに大きい）は、９０％またはそれ以上の確率で、信頼区間「０、Ｌｐ＋」内においてＳＩＮＲ損失が下降することを保証する。固定された乗数による方法が、送信機３０によって採用された場合、その後「Ｅｒｒｏｒ．Ｒｅｆｅｒｅｎｃｅ  ｓｏｕｒｃｅ  ｎｏｔ  ｆｏｕｎｄ」の等式（Ｅｑ．）が、ＭＣＳ選択のために送信機３０によって使用されるルックアップ・テーブルを生成するために使用されることがある。
【００７７】
すなわち、上記例を考慮したうえで、図１２は、１または２以上のモードのそれぞれに関して、平均信号品質および対応する最大幅を受信する送信機３０に基づく送信リンク適応の実施形態の１つを通して成る（ステップ１４６）。送信機３０は、前述したとおり、任意にフィードバック情報を増減することができる（ステップ１４８）。任意のかかる増減は、それぞれの空間多重化モードｍに関する増減値γａｖｇ（ｍ）およびΔ（ｍ）を生成する。
【００７８】
その後、それぞれのモードおよび当該モードに関するＭＣＳ選択へのそれぞれの入力に関して、送信機３０は、送信機３０において記憶された事前に計算されたテーブルから、ＳＩＮＲ損失に関する信頼区間の上限境界を調査する。Ｌｐ、ｉ（ｍ）（または固定された乗数Ｆｐを使用する場合はＬｐ＋、ｉ（ｍ））は、モードｍに関するＭＣＳテーブルへのｉ番目の入力についての上限境界を意味する。ここでモード１の場合には、Ｌｐ、ｉ（ｍ）またはＬｐ＋、ｉ（ｍ）は常に単一であり、調査が実行される必要はない。送信機３０はその後、最大率のＭＣＳを検出することで、効率的な受信信号品質（効率的なＳＩＮＲ）の下限境界が、当該ＭＣＳに関する切替点よりも大きくなる。すなわち次式で表される。
【００７９】
【数１１】
2008543164.tif 000013
ここでｓｉ（ｍ）は、モードｍのＭＣＳ選択テーブルにおけるｉ番目のＭＣＳに関する切替点である（ステップ１５０およびステップ１５２）。送信機３０はその後、先のステップにおいて識別された最高率のＭＣＳに対応するモードを選択し、または最高率のＭＣＳが必要ない場合には、同一モードまたは異なるモードにおけるより低い率のＭＣＳを選択する（ステップ１５４）。
【００８０】
図１３および図１４は、ワイヤレス通信装置１２におけるフィードバックの生成の別の実施形態（図１３）、および対応する送信機３０における送信リンク適応の他の実施形態（図１４）を示す。さらに広く言うと、図示する処理は、１または２以上の空間多重化モードのそれぞれにおける多重化信号に関して、ワイヤレス通信装置１２における流れ特有の受信信号品質の変化量を反映するパラメータ化された情報をフィードバックするワイヤレス通信装置１２に基づく（ステップ１６０）。
【００８１】
それぞれのかかるモードに関して、ワイヤレス通信装置１２は、パラメータ化された受信信号品質のフィードバックを生成する（ステップ１６２）。かかるパラメータ化は、前記の最大幅パラメータを基礎とすることができ、または前記方法の代替として存在することができる。例えば、最大幅を平均値とともに送信するというよりはむしろ、ワイヤレス通信装置１２は、ワイヤレス通信装置１２における流れ特有の受信信号品質の変化量を特徴付ける１または２以上のパラメータを生成し戻すように構成されることができる（ステップ１６４）。
【００８２】
例えば、ワイヤレス通信装置１２は、１または２以上の空間多重化モードのそれぞれに関して、流れ特有の受信信号品質に関する平均値および標準偏差値を計算して戻すように構成されることができる。もちろん、例えば分散などの他の統計値を、標準偏差に加えて、または標準偏差の代わりに送信することができる。
【００８３】
類似した実施形態においては、パラメータ化されたフィードバックは、平均値およびペナルティ値（ｐｅｎａｌｔｙ  ｖａｌｕｅ）からなることができる。ペナルティ値が設定されることにより、損失が、典型的なシステムにおいて見られる予測された損失のある割合に固定されるようにすることができる。すなわち、１または２以上の事前に構成されたペナルティ値は、ワイヤレス通信装置１２におけるメモリに記憶されることができる。ワイヤレス通信装置１２は、例えば、空間多重化信号に関して、ワイヤレス通信装置１２によって計測された流れ特有のＳＩＮＲの幅に基づいて、送信機３０に報告を戻すために、最適なペナルティ値を選択することができる。
【００８４】
さらに、ワイヤレス通信装置１２は、低い（平均の）ＳＩＮＲにおいては低いペナルティを与えるように、ペナルティ値の計算に使用するための損失関数を定義するように構成されることができる。逆に、当該関数は、より高い信号品質に関して一般に使用される高い符号化率から生じるより大きな損失を反映するために、平均ＳＩＮＲの増加に伴い比較的より大きなペナルティを生成することができる。１または２以上のかかる実施形態において、送信機３０によって使用されるＭＣＳ選択テーブルにおける切替点の刻み幅（ｓｔｅｐ  ｓｉｚｅ）は、損失補償の誤差による影響を抑えるために、増加させることができる。すなわち、１または２以上のＭＣＳテーブルにおける１または２以上のＭＣＳ選択により対象となった信号品質の幅は増加されることがで、送信機３０により選択される次に高いＭＣＳに関するより高い（ペナルティ化された）信号品質となることができる。
【００８５】
パラメータ化されたフィードバックの更なる実施形態において、ワイヤレス通信装置１２は、特定の損失曲線のパラメータ化と、ワイヤレス通信装置１２によって計算される流れ特有の受信信号品質のベクトル、すなわち｛γ１、γ２．．．、γＭ｝として与えられるベクトルのパラメータ化とを実行するように構成されることができる。
【００８６】
かかる実施形態において、ワイヤレス通信装置１２は、特定の最小誤り基準に従って、一次関数を特定の損失曲線に適合させるように構成されることができる。誤りの最小化基準は、例えば、最小二乗法の原則に従うように構成されることができる。代わりとして、ワイヤレス通信装置１２は、最小の誤りの基準に従って、（高次）多項式を特定の損失曲線に適合させるように構成されることができる。ワイヤレス通信装置１２から送信機３０へ向かうパラメータ化されたフィードバックは、特定の損失機能を識別するために、平均受信信号品質（例えば平均ＳＩＮＲのγａｖｇ）およびパラメータまで減少されることができる。送信機において、特定の損失曲線がパラメータのフィードバックを使用して再構築されることができる。この状況において、損失曲線は、変調および符号化率の関数として予測されるＳＩＮＲ損失（ｄＢ単位）を表現する。
【００８７】
例として、４つの送信アンテナ３６に関するｍ番目のパラメータ化された関数は、次式のＳＩＮＲ損失曲線として定義されることができる。
【００８８】
【数１２】
2008543164.tif 000014
ここで結果値はｄＢ単位で表され、またδｍは関数設定のための空間パラメータ（ｓｐａｃｉｎｇ  ｐａｒａｍｅｔｅｒ）である。空間パラメータの選択は、ＳＩＮＲに関する典型的な配分情報で最適化されることができる。３２の異なる特定の損失曲線に対応する３２の空間値に関しては、ワイヤレス通信装置１２は、平均ＳＩＮＲ値および５ビットの空間値をフィードバックするように構成されることができ、使用される特定の損失曲線を識別する。すなわち損失曲線が定義されることで、送信機３０は、ＳＩＮＲ損失を決定するために符号化率を関数とした曲線に沿って動くことができる。
【００８９】
ワイヤレス通信装置１２において定義された損失曲線の一式からの最適なパラメータ化された関数（損失曲線）は、最小二乗法の原則にしたがって選択されることができ、またはすべての符号化率に関する実際のＳＩＮＲ損失曲線よりも高い最小指数（ｌｏｗｅｓｔ−ｉｎｄｅｘｅｄ）のものが選択されることができる。かかる基準は、ある状況下における損失を過大評価することを犠牲として、ＳＩＮＲ損失が過小評価されることが決してないことを保証する。最適なパラメータ化された関数はまた、実際のＳＩＮＲベクトルの平均の範囲（ｓｐａｃｉｎｇ）に最も近いδ値を有するものに選択されることもできる。例えば、４つのアンテナおよび所定の損失曲線に関する実際の（分類された）ＳＩＮＲベクトルはｄＢ単位により次式で表すことができる。
【００９０】
【数１３】
2008543164.tif 000015
範囲は従って、１．４５、５．１２、および２．９８ｄＢで、平均が３．１８ｄＢとである。平均は、定義された損失曲線に関するδ値のテーブルと比較されることができ、テーブルにおいて最も近いδ値に対応した曲線が選択されることができる。
【００９１】
すなわち、前記のパラメータ化されたフィードバックの幅広い範囲での可能性を考慮したうえで、図１４は、送信機３０における処理実行の一般的な実施形態を示し、この場合において、送信機３０は、ワイヤレス通信装置１２からのパラメータ化された受信信号品質のフィードバックの関数として、多重化信号に関して送信リンク適応を補償する。当該処理はすなわち、送信機３０がワイヤレス通信装置１２からのパラメータ化されたフィードバックを受信することで始まり（ステップ１６６）、さらに任意に前述したようにかかる情報を増減する（ステップ１６８）。
【００９２】
その後、それぞれのモードに関して、送信機３０は、パラメータ化された情報に基づいて効率的な受信信号品質を決定する（ステップ１６０）。例えば、送信機３０は、パラメータ化されたフィードバックに基づいて、モードに関して決定されたＭＣＳ特有の損失値に関する所定のモードについて、受信した平均ＳＩＮＲ値を増減、または別の方法で減少させる。送信機３０はその後、それぞれのモードにおける対応する効率的な受信信号品質によってサポートされることのできる最高率のＭＣＳを識別する（ステップ１７２）。送信機３０はその後、当該最高率のＭＣＳに対応したモードを選択し、または最高率のＭＣＳが必要でない場合には別の選択を作成する（ステップ１７４）。
【００９３】
特にワイヤレス通信装置１２および送信機３０における処理の変化量のいくつかについて示した上記の実施形態の数からも、いわゆる当業者は、本発明は、１または２以上の遠隔受信機における多重化信号に関して、流れ特有の受信信号品質の変化量を反映するフィードバックを提供することにより、多重化信号に関する改良した送信リンク適応についての方法および装置を広く提供するものであることを理解することができる。フィードバックは、変化量を直接伝達することができ、または、パラメータ化されたデータを提供することにより、または補償された効率的な信号品質値を提供することにより、変化量に関する情報を間接的に伝達することができる。
【００９４】
さらに、フィードバックの詳細を考慮しなくても、いわゆる当業者であれば、ここで開示される方法は、空間多重、符号多重、および周波数多重送信システムを含む多重化送信システムの範囲に広く適用されることを容易に理解することができる。さらに広く言うと、ここで説明する信号品質損失の補償方法は、情報を受信機に送信するために異なるＳＩＮＲを有する複数のサブチャネルが使用される、いずれかの多重化送信システムにも本質的に適用されることができる。すなわち、ここで説明する方法は、これらの異なる多重化方法の範囲にわたって適用されることができ、また符合多重と空間多重が結合されているような、多重化方式の結合に対しても適用されることができる。かかる場合としては、複数の送信アンテナが使用されるような状況が、多重化の特別な状況として考慮されることができる。
【００９５】
すなわち、ここで開示した信号品質損失の補償方法は、情報を受信機に送信するために、異なるＳＩＮＲを有する複数のサブチャネルが使用される直行周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）送信に適用する。特に、ＯＦＤＭを基本とする多重化送信システムの一般の実施形態は、それぞれのユーザに複数の周波数サブチャネルを割り当てる。周波数選択性フェージング（ｆｒｅｑｕｅｎｃｙ−ｓｅｌｅｃｔｉｖｅ  ｆａｄｉｎｇ）とともに、これらのサブチャネルのそれぞれにおける受信信号品質は、広く変化することができる。すなわち、ここで説明する方法が効率的な信号品質を決定するために使用されることができ、この場合において、効率的な信号品質は、サブ流れ（ｓｕｂｓｔｒｅａｍ）の信号品質の変化量から生じる信号品質の損失を反映する。
【００９６】
別の例として、ここで説明する方法は、移動通信に関するグローバル基準（ＧＳＭ：Ｇｌｏｂａｌ  Ｓｔａｎｄａｒｄ  ｆｏｒ  Ｍｏｂｉｌｅ  Ｃｏｍｍｕｎｉｃａｔｉｏｎ）を基本とする送信システムで、少なくともかかるシステムにおける特定の状況に関して、適用されることができる。特に、情報は、異なる時間枠を使用すること、および複数の周波数を超えること（ｈｏｐｐｉｎｇ  ｏｖｅｒ）に基づいて、ＧＳＭチャネルを通じて送信されることができる。かかる状況において、ＧＳＭチャネルは、ここで説明する信号品質の損失補償方法が適用される複数状態のチャネルの形式である。
【００９７】
すなわち、いわゆる当業者であれば、多重化送信機は、空間多重化、符号多重化（例えば、複数の符号化された情報のサブ流れ）、周波数多重化、またはそれらのいかなる結合であるか否かに関わらず、異なる複数の流れにおける受信信号品質の変化量から生じる、受信信号品質における損失に関する送信リンク適応を補償することにより、多重化送信信号に関する送信リンク適応を改良することができる。この点を考慮して、本発明は前記の記載事項に限定されるものではなく、添付した図面に限定されるものではないことが理解されるべきである。その代わりに、本発明は特許請求の範囲および法的に均等な範囲によってのみ限定される。
【図面の簡単な説明】
【００９８】
【図１】ワイヤレス通信ネットワークおよびワイヤレス通信装置のブロック図である。
【図２】図１で示す送受信ノードおよびワイヤレス通信装置の実施形態に関する詳細な機能回路のブロック図である。
【図３】ルックアップ・テーブル値または関数値としてメモリにおいて具体化されることができる、受信信号品質の損失曲線のグラフである。
【図４】例えば、ＨＳ−ＤＳＣＨ信号が空間多重化信号として送信されるＷ−ＣＤＭＡの実施形態に関して、図１に示す送受信ノードの送信機の一部ブロック図である。
【図５】ルックアップ・テーブル値または関数値としてメモリにおいて具体化されることができる、変調および符号化方式（ＭＣＳ）のグラフである。
【図６】遠隔受信機において受信信号のフィードバックを生成する１実施形態の論理フロー図である。
【図７】対応する多重化送信機においてフィードバックに応答する１実施形態の論理フロー図である。
【図８】受信信号品質のフィードバックの特定の形式に応じた、多重化送信機における送信リンク適応の１実施形態に関する論理フロー図である。
【図９】遠隔受信機において受信信号のフィードバックを生成する別の実施形態の論理フロー図である。
【図１０】対応する多重化送信機においてフィードバックに応答する別の実施形態の論理フロー図である。
【図１１】受信信号品質のフィードバックの特定の形式に応じた、多重化送信機における送信リンク適応の１実施形態に関する論理フロー図である。
【図１２】対応する多重化送信機においてフィードバックに応答する別の実施形態の論理フロー図である。
【図１３】受信信号品質のフィードバックの特定の形式に応じた、多重化送信機における送信リンク適応の１実施形態に関する論理フロー図である。
【図１４】対応する多重化送信機においてフィードバックに応答する別の実施形態の論理フロー図である。
【図１】
2008543164.tif 000016
【図２】
2008543164.tif 000017
【図３】
2008543164.tif 000018
【図４】
2008543164.tif 000019
【図５】
2008543164.tif 000020
【図６】
2008543164.tif 000021
【図７】
2008543164.tif 000022
【図８】
2008543164.tif 000023
【図９】
2008543164.tif 000024
【図１０】
2008543164.tif 000025
【図１１】
2008543164.tif 000026
【図１２】
2008543164.tif 000027
【図１３】
2008543164.tif 000028
【図１４】
2008543164.tif 000029
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
２またはそれ以上の信号の流れからなる多重化信号を受信する受信機によって得られる受信信号品質の損失の補償方法であって：
前記多重化信号の２またはそれ以上の信号流れに関して決定された流れ特有の受信信号品質の関数として、前記多重化信号に関する見かけ上の受信信号品質を計算し；
前記流れ特有の受信信号品質の変化量の関数として、見かけ上の受信信号品質の損失を決定し；
前記受信信号品質の損失によって減少された前記見かけ上の受信信号品質に基づいて、効率的な受信信号品質を計算し；
前記効率的な受信信号品質の関数として、前記多重化信号の１または２以上の送信パラメータを制御することからなる、受信信号品質の損失の補償方法。
【請求項２】
前記効率的な受信信号品質の関数として、前記多重化信号の１または２以上の送信パラメータを制御することは、
前記効率的な受信信号品質に基づいて、前記多重化信号を送信するために使用される１または２以上の損失パラメータを選択することからなる、請求項１に記載の受信信号品質の損失の補償方法。
【請求項３】
前記効率的な受信信号品質の関数として、前記多重化信号の１または２以上の送信パラメータを制御することは、一般に、
前記効率的な受信信号品質に基づいて、前記多重化信号を送信するために使用される変調フォーマットおよび符号化率の少なくとも１つを選択することからなる、請求項１に記載の受信信号品質の損失の補償方法。
【請求項４】
前記多重化信号の２またはそれ以上の信号流れに関して決定された流れ特有の受信信号品質の関数として、前記多重化信号に関する見かけ上の受信信号品質を計算することは、
前記多重化信号を送信することが可能な１または２以上の多重化モードのそれぞれに関して、前記多重化信号に関するモード特有の見かけ上の受信信号品質を計算することからなる、請求項１に記載の受信信号品質の損失の補償方法。
【請求項５】
前記流れ特有の受信信号品質の変化量の関数として、見かけ上の受信信号品質の損失を決定することは、
それぞれのモード特有の受信信号品質に関して、前記多重化信号を送信することが可能なそれぞれの符号化率に関する率特有の信号品質の損失を決定することからなる、請求項４に記載の受信信号品質の損失の補償方法。
【請求項６】
前記効率的な受信信号品質の関数として、前記多重化信号の１または２以上の送信パラメータを制御することは、
前記モード特有の見かけ上の受信信号品質および前記対応する率特有の信号品質の損失に基づいて、それぞれの多重化モードに関する最大の達成可能な符号化率を決定し、
前記最大の達成可能な符号化率の比較に基づいて、前記多重化信号の前記符号化率を設定することからなる、請求項５に記載の受信信号品質の損失の補償方法。
【請求項７】
２またはそれ以上の信号の流れからなる多重化信号を受信する受信機からの受信信号品質の情報をフィードバックする方法であって：
前記多重化信号に関して決定された流れ特有の受信信号品質の関数として、前記多重化信号に関する見かけ上の受信信号品質を計算し、
前記流れ特有の受信信号品質の変化量の関数として、前記見かけ上の受信信号品質に関する損失パラメータを決定し、
前記見かけ上の受信信号品質および前記損失パラメータに基づいて、フィードバックに関する受信信号品質の情報を生成することからなる、受信信号品質の情報をフィードバックする方法。
【請求項８】
前記多重化信号に関して決定された流れ特有の受信信号品質の関数として、前記多重化信号に関する見かけ上の受信信号品質を計算することは、
前記多重化信号に関して定義された１または２以上の多重化モードに関するモード特有の見かけ上の受信信号品質を計算することからなる、請求項７に記載の受信信号品質の情報をフィードバックする方法。
【請求項９】
前記流れ特有の受信信号品質の変化量の関数として、前記見かけ上の受信信号品質に関する損失パラメータを決定することは、
それぞれのモード特有の見かけ上の受信信号品質に関して、１または２以上の符号化率に依存する損失パラメータを決定することからなる、請求項８に記載の受信信号品質の情報をフィードバックする方法。
【請求項１０】
前記多重化信号に関して決定された流れ特有の受信信号品質の関数として、前記多重化信号に関する見かけ上の受信信号品質を計算することは、
前記多重化信号と関連付けられた１または２以上の多重化モードのそれぞれに関するチャネル品質指標（ＣＱＩ）値を計算することからなり、
この場合において、
前記流れ特有の受信信号品質の変化量の関数として、前記見かけ上の受信信号品質に関する損失パラメータを決定することは、
それぞれのＣＱＩに関する１または２以上の符号化率に依存する損失パラメータを決定することからなり、その結果、前記受信信号品質の情報が、見かけ上の受信信号品質に関連するモード特有のＣＱＩ値および対応する符号化率に依存する損失パラメータからなることで、効率的な受信信号品質に関するモード特有のＣＱＩ値が決定されることができる、請求項７に記載の受信信号品質の情報をフィードバックする方法。
【請求項１１】
前記多重化信号は、
１または２以上の空間多重化モードのそれぞれにおける異なる数の送信アンテナから送信される空間多重化信号からなり、
この場合において、
前記多重化信号に関して決定された流れ特有の受信信号品質の関数として、前記多重化信号に関する見かけ上の受信信号品質を計算することは、
それぞれの空間多重化モードにおける送信アンテナの最適な一式に関する見かけ上の受信信号品質を計算することからなる、請求項７に記載の受信信号品質の情報をフィードバックする方法。
【請求項１２】
前記流れ特有の受信信号品質の変化量の関数として、前記見かけ上の受信信号品質に関する損失パラメータを決定することは、
それぞれの空間多重化モードに関して、１または２以上の符号化率に依存する損失パラメータを決定することからなる、請求項１１に記載の受信信号品質の情報をフィードバックする方法。
【請求項１３】
前記見かけ上の受信信号品質および前記損失パラメータに基づいて、フィードバックに関する受信信号品質の情報を生成することは、
前記受信信号品質として、またはそれらが量子化された形式として、および前記損失パラメータとして、前記受信信号品質の情報を生成することからなる、請求項７に記載の受信信号品質の情報をフィードバックする方法。
【請求項１４】
前記見かけ上の受信信号品質および前記損失パラメータに基づいて、フィードバックに関する受信信号品質の情報を生成することは、
前記損失パラメータにより減少された前記見かけ上の受信信号品質から計算された効率的な受信信号品質として、前記受信信号品質の情報を生成することからなる、請求項７に記載の受信信号品質の情報をフィードバックする方法。
【請求項１５】
前記多重化信号に関して決定された流れ特有の受信信号品質の関数として、前記多重化信号に関する受信信号品質を計算することは、
前記流れ特有の受信信号品質から平均信号品質を計算することからなり、その結果、前記見かけ上の受信信号品質が、前記それぞれの流れ特有の受信信号品質の平均となる、請求項７に記載の受信信号品質の情報をフィードバックする方法。
【請求項１６】
前記流れ特有の受信信号品質の変化量の関数として、前記見かけ上の受信信号品質に関する損失パラメータを決定することは、
前記流れ特有の信号品質の変化量の最大幅を決定することからなり、その結果、前記受信信号品質の情報が、前記平均受信信号品質および前記最大幅を示す、請求項１５に記載の受信信号品質の情報をフィードバックする方法。
【請求項１７】
前記流れ特有の受信信号品質の変化量の関数として、前記見かけ上の受信信号品質に関する損失パラメータを決定することは、
前記流れ特有の信号品質の変化量を特徴付ける変化量統計値を決定することからなり、その結果、前記受信信号品質の情報が、前記平均受信信号品質および前記変化量統計値を示す、請求項１５に記載の受信信号品質の情報をフィードバックする方法。
【請求項１８】
前記変化量統計値は、
前記流れ特有の受信信号品質の分散、前記流れ特有の受信信号品質の標準偏差、および前記流れ特有の受信信号品質の最大幅の１または２以上からなる、請求項１７に記載の受信信号品質の情報をフィードバックする方法。
【請求項１９】
前記流れ特有の受信信号品質の変化量の関数として、前記見かけ上の受信信号品質に関する損失パラメータを決定することは、
前記流れ特有の受信信号の変化量から生じる前記受信信号品質の効率的な損失を、多重化信号の符号化率の損失関数として表現し、
前記損失関数の中で最適な１つと対応するパラメータの一式として、前記損失パラメータを生成することからなる、請求項７に記載の受信信号品質の情報をフィードバックする方法。
【請求項２０】
前記流れ特有の受信信号品質の変化量の関数として、前記見かけ上の受信信号品質に関する損失パラメータを決定することは、
前記流れ特有の受信信号品質の変化量が原因で生じる、前記見かけ上の受信信号品質の効率的な減少を表す損失値を決定することからなる、請求項７に記載の受信信号品質の情報をフィードバックする方法。
【請求項２１】
前記流れ特有の受信信号品質の変化量が原因で生じる、前記見かけ上の受信信号品質の効率的な減少を表す損失値を決定することは、
前記多重化信号の前記受信信号品質の１または２以上の符号化率に依存する関数として信号品質を作成する、前記受信機において維持される損失式またはデータテーブルから損失値を決定することからなる、請求項２０に記載の受信信号品質の情報をフィードバックする方法。
【請求項２２】
前記多重化信号に関して決定された流れ特有の受信信号品質の関数として、前記多重化信号に関する見かけ上の受信信号品質を計算することは、
前記多重化信号と関連付けられた１または２以上の空間多重化モードのそれぞれに関する最適な送信アンテナの一式を決定し、
前記送信アンテナの最適な一式に対応する前記多重化信号の前記流れ特有の受信信号品質に基づいて、それぞれの空間多重化モードに関するチャネル品質指標を計算することからなる、請求項７に記載の受信信号品質の情報をフィードバックする方法。
【請求項２３】
前記流れ特有の受信信号品質の変化量の関数として、前記見かけ上の受信信号品質に関する損失パラメータを決定することは、
前記空間多重化モードに関する前記アンテナの最適な一式に対応する前記流れ特有の受信信号品質の変化量を使用する、それぞれの空間多重モードに関する１または２以上の損失パラメータを決定することからなり、
この場合において、
前記見かけ上の受信信号品質および前記損失パラメータに基づいて、フィードバックに関する受信信号品質の情報を生成することは、
前記見かけ上の受信信号品質に関連する前記チャネル品質指標、および前記空間多重化モードに関して計算された対応する損失パラメータとして、前記受信信号品質を生成することからなる、請求項７に記載の受信信号品質の情報をフィードバックする方法。
【請求項２４】
前記受信機は、
広帯域符号分割多重接続（Ｗ−ＣＤＭＡ）受信機からなり、
この場合において、前記多重化信号は、
空間多重化された高速下り回線共有チャネル（ＨＳ−ＤＳＣＨ）信号からなり、
この場合において、前記受信信号品質の情報は、
前記空間多重化されたＨＳ−ＤＳＣＨ信号と関連付けられた１または２以上の空間多重化モードのそれぞれに関する、チャネル品質指標（ＣＱＩ）および１または２以上の符号化率に依存する損失パラメータからなる、請求項７に記載の受信信号品質の情報をフィードバックする方法。
【請求項２５】
２またはそれ以上の信号の流れからなる多重化信号を受信する受信機によって得られる受信信号品質の損失の補償方法であって：
前記多重化信号に関する見かけ上の受信信号品質と、前記多重化信号の流れ特有の受信信号品質の変化量を示す損失パラメータとを受信し；
前記損失パラメータに従って減少された前記見かけ上の受信信号品質に基づいて、前記多重化信号に関する効率的な受信信号品質を決定し；
前記効率的な受信信号品質の関数として、前記多重化信号の１または２以上の送信パラメータの選択を制御することからなる、受信信号品質の損失の補償方法。
【請求項２６】
前記多重化信号に関する見かけ上の受信信号品質と、前記多重化信号の流れ特有の受信信号品質の変化量を示す損失パラメータとを受信することは、
前記多重化信号と関連付けられた１または２以上の多重化モードのそれぞれに関する、見かけ上の受信信号品質および損失パラメータを受信することからなる、請求項２５に記載の受信信号品質の損失の補償方法。
【請求項２７】
前記効率的な受信信号品質の関数として、前記多重化信号の１または２以上の送信パラメータの選択を制御することは、
それぞれの多重化モードにおける前記多重化信号に関する符号化率に依存する信号品質の損失を、当該多重化モードに関して受信された損失パラメータに基づいて計算し、
それぞれの多重化モードにおいてサポート可能な最大符号化率を、当該多重化モードに関して計算された前記符号化率に依存する信号品質の損失に基づいて識別し、
前記多重化信号に関して使用するための多重化モードおよび符号化率を、前記最大符号化率と前記多重化モードとの比較に基づいて選択することからなる、請求項２６に記載の受信信号品質の損失の補償方法。
【請求項２８】
前記多重化信号に関する見かけ上の受信信号品質と、前記多重化信号の流れ特有の受信信号品質の変化量を示す損失パラメータとを受信することは、
前記多重化信号と関連付けられた１または２以上の多重化モードのそれぞれに関する、モード特有の見かけ上の受信信号品質および対応するモード特有の損失パラメータを受信することからなる、請求項２５に記載の受信信号品質の損失の補償方法。
【請求項２９】
それぞれのモード特有の見かけ上の受信信号品質は、
前記対応する多重化モードに関する前記多重化信号の前記流れ特有の受信信号品質の関数として計算された、見かけ上の受信信号品質の指標からなり、
この場合において、それぞれの対応する損失パラメータは、これら流れ特有の受信信号品質の前記変化量を示す、請求項２８に記載の受信信号品質の損失の補償方法。
【請求項３０】
前記効率的な受信信号品質の関数として、前記多重化信号の１または２以上の送信パラメータの選択を制御することは、
前記モード特有の見かけ上の受信信号品質の指標と、前記モード特有の損失パラメータおよび情報を作成する符号化率に依存する信号品質の損失から計算される多くの符号化率に依存する信号品質の損失とに基づいて、それぞれの多重化モードにおける効率的な受信信号品質を決定し、
前記効率的な受信信号品質と符号化率に依存する信号品質のしきい値との比較に基づいて、前記多重化モードおよび符号化率の１つを選択することからなる、請求項２９に記載の受信信号品質の損失の補償方法。
【請求項３１】
前記損失パラメータは、
前記流れ特有の受信信号品質の変化量を示す統計値からなり、
この場合において、
前記効率的な受信信号品質の関数として、前記多重化信号の１または２以上の送信パラメータの選択を制御することは、
前記損失値および前記見かけ上の受信信号品質からの前記効率的な受信信号品質を計算し、
前記効率的な受信信号品質に基づいて、前記１または２以上の送信パラメータの選択を制御することからなる、請求項２５に記載の受信信号品質の損失の補償方法。
【請求項３２】
前記統計値は、
前記流れ特有の受信信号品質の最大幅、前記流れ特有の受信信号品質の標準偏差、または前記流れ特有の受信信号品質の分散からなる、請求項３１に記載の受信信号品質の損失の補償方法。
【請求項３３】
前記損失パラメータは、
前記流れ特有の受信信号品質の変化量の関数として、信号品質を作成する損失曲線または関数を識別するパラメータの一式からなり、
この場合において、
前記効率的な受信信号品質の関数として、前記多重化信号の１または２以上の送信パラメータの選択を制御することは、
前記損失値および前記見かけ上の受信信号品質からの効率的な受信信号品質を計算し、
前記効率的な信号品質に基づいて、前記１または２以上の送信パラメータの選択を制御することからなる、請求項２５に記載の受信信号品質の損失の補償方法。
【請求項３４】
ワイヤレス通信ネットワークにおける使用のための多重化送信機であって：
２またはそれ以上の信号の流れからなる多重化信号を、前記多重化送信機から遠隔受信機に送信するように構成された無線送信回路と；
前記多重化信号に関する見かけ上の受信信号品質と、前記多重化信号の流れ特有の受信信号品質の変化量を示す損失パラメータとを受信するように構成された１または２以上のインターフェイス回路と；
前記受信信号品質および前記損失パラメータの関数として、前記多重化信号の１または２以上の送信パラメータの選択を制御するように構成された制御回路とからなり；
この場合において、前記制御回路は、
前記損失パラメータに基づいて前記見かけ上の受信信号品質の損失を評価することにより、前記遠隔受信機に関する前記効率的な受信信号品質を決定するように構成された計算回路を含み、または前記計算回路と関連付けられている、多重化送信機。
【請求項３５】
前記見かけ上の受信信号品質および前記損失パラメータは、
前記多重化信号と関連付けられた１または２以上の多重化モードのそれぞれに関する、見かけ上の受信信号品質および損失パラメータからなる、請求項３４に記載の多重化送信機。
【請求項３６】
前記制御回路は、
それぞれの多重化モードにおける前記多重化信号に関する、当該多重化モードに関して受信された前記損失パラメータの関数として計算された符号化率に依存する信号品質の損失に基づいた、前記多重化信号の前記１または２以上の送信パラメータの選択と
それぞれの多重化モードにおいてサポート可能な最大符号化率を、当該多重化モードに関して計算された前記符号化率に依存する信号品質の損失に基づいて識別することと、
前記多重化信号に関して使用するための多重化モードおよび符号化率を、前記最大符号化率と前記多重化モードとの比較に基づいて選択すること、とを制御するように構成されている、請求項３５に記載の多重化送信機。
【請求項３７】
フィードバックとして受信された前記見かけ上の受信信号品質および前記損失パラメータは、
前記多重化信号と関連付けられた１または２以上の多重化モードのそれぞれに関する、モード特有の見かけ上の受信信号品質および対応するモード特有の損失パラメータからなる、請求項３４に記載の多重化送信機。
【請求項３８】
それぞれのモード特有の見かけ上の受信信号品質は、
前記対応する多重化モードに関する前記多重化信号の前記流れ特有の受信信号品質の関数として計算された受信信号品質の指標からなり、
この場合において、それぞれの対応する損失パラメータは、これら流れ特有の受信信号品質の前記変化量を示す、請求項３７に記載の多重化送信機。
【請求項３９】
前記制御回路は、
前記モード特有の受信信号品質の指標と、前記モード特有の損失パラメータおよび情報を作成する符号化率に依存する信号品質の損失から計算された多くの符号化率に依存する信号品質の損失とから、それぞれの多重化モードにおける効率的な受信信号品質を決定することと、
前記効率的な受信信号品質と符号化率に依存する信号品質のしきい値との比較に基づいて、前記多重化モードおよび符号化率の１つを選択すること、とに基づいて、
前記効率的な受信信号品質の関数として、前記多重化信号の１または２以上の送信パラメータの選択を制御するように構成されている、請求項３８に記載の多重化送信機。
【請求項４０】
前記損失パラメータは、
前記流れ特有の受信信号品質の変化量を示す統計値からなり、
この場合において、前記制御回路は、
前記損失パラメータから損失値の計算と、前記損失値および前記見かけ上の受信信号品質から効率的な受信信号品質の計算と、前記効率的な受信信号品質に基づいた前記１または２以上の送信パラメータの選択の制御とに基づいて、
前記効率的な受信信号品質および前記損失パラメータの関数として、前記多重化信号の１または２以上の送信パラメータの選択を制御するように構成されている、請求項３４に記載の多重化送信機。
【請求項４１】
前記統計値は、
前記流れ特有の受信信号品質の最大幅、前記流れ特有の受信信号品質の標準偏差、または前記流れ特有の受信信号品質の分散からなる、請求項４０に記載の多重化送信機。
【請求項４２】
前記損失パラメータは、
前記流れ特有の受信信号品質の変化量の関数として、信号品質を作成する損失曲線または関数を識別、
この場合において、前記制御回路は、
前記損失値および前記受信信号品質から効率的な受信信号品質の計算と、前記効率的な信号品質に基づいた前記１または２以上の送信パラメータの選択とに基づいて、
前記効率的な受信信号品質の関数として、前記多重化信号の１または２以上の送信パラメータの選択を制御するように構成されている、請求項３４に記載の多重化送信機。
【請求項４３】
２またはそれ以上の信号の流れからなる多重化信号を受信するように構成されたワイヤレス通信受信機であって、前記ワイヤレス通信受信機は１または２以上の処理回路からなり、前記処理回路は：
前記多重化信号に関して決定された流れ特有の受信信号品質の関数として、前記多重化信号に関する見かけ上の受信信号品質を計算し、
前記流れ特有の受信信号品質の変化量の関数として、前記見かけ上の受信信号品質に関する損失パラメータを決定し、
前記見かけ上の受信信号品質および前記損失パラメータに基づいて、フィードバックに関する受信信号品質の情報を生成するように構成されている、ワイヤレス通信受信機。
【請求項４４】
前記１または２以上の処理回路は、
前記多重化信号に関して決定された１または２以上の多重化モードのそれぞれに関するモード特有の見かけ上の受信信号品質として、前記見かけ上の受信信号品質を計算するように構成されている、請求項４３に記載のワイヤレス通信受信機。
【請求項４５】
前記１または２以上の処理回路は、
前記対応する多重化モードにおける前記多重化信号の前記流れ特有の受信信号品質の前記変化量に基づいて、前記損失パラメータを、それぞれのモード特有の受信信号品質に関する１または２以上の符号化率に依存する損失パラメータとして決定するように構成されている、請求項４４に記載のワイヤレス通信受信機。
【請求項４６】
前記多重化信号は、
ぞれぞれの多重化モードにおける異なる数の送信アンテナから送信された空間多重化信号からなり、
この場合において、前記１または２以上の処理回路は、
それぞれの多重化モードにおける送信アンテナの最適な一式に関する前記見かけ上の受信信号品質を計算することにより、前記モード特有の見かけ上の受信信号品質を計算するように構成されている、請求項４５に記載のワイヤレス通信受信機。
【請求項４７】
前記１または２以上の処理回路は、
前記受信信号品質として、またはそれらが量子化された形式として、および前記損失パラメータとして、前記受信信号品質の情報を生成するように構成されている、請求項４３に記載のワイヤレス通信受信機。
【請求項４８】
前記１または２以上の処理回路は、
前記損失パラメータに従って減少された前記見かけ上の受信信号品質から計算された効率的な受信信号品質として、前記見かけ上の受信信号品質の情報を、生成するように構成されている、請求項４３に記載のワイヤレス通信受信機。
【請求項４９】
前記１または２以上の処理回路は、
前記流れ特有の受信信号品質からの平均信号品質を計算することにより、前記多重化信号に関して決定された流れ特有の受信信号品質の関数として、前記多重化信号に関する前記見かけ上の受信信号品質を計算するように構成されている、請求項４３に記載のワイヤレス通信受信機。
【請求項５０】
前記１または２以上の処理回路は、
前記流れ特有の信号品質の変化量の最大幅を決定することにより、前記流れ特有の受信信号品質の変化量の関数として、前記見かけ上の受信信号品質に関する損失パラメータを決定するように構成され、その結果、前記受信信号品質の情報が、前記平均受信信号品質および前記最大幅を示す、請求項４９に記載のワイヤレス通信受信機。
【請求項５１】
前記１または２以上の処理回路は、
前記流れ特有の信号品質の前記変化量を特徴付ける変化量統計値を決定することにより、前記流れ特有の受信信号品質の変化量の関数として、前記見かけ上の受信信号品質に関する損失パラメータを決定するように構成され、その結果、前記受信信号品質の情報が、前記平均受信信号品質および前記変化量統計値を示す、請求項４９に記載のワイヤレス通信受信機。
【請求項５２】
前記１または２以上の処理回路は、
前記流れ特有の受信信号品質の変化量から生じる前記受信信号品質の効率的な損失を、多重化信号の符号化率の損失関数として表現し、前記損失関数の中で最適な１つと対応するパラメータの一式として前記損失パラメータを生成することにより、
前記流れ特有の受信信号品質の変化量の関数として、前記見かけ上の受信信号品質に関する損失パラメータを決定するように構成されている、請求項４３に記載のワイヤレス通信受信機。
【請求項５３】
前記１または２以上の処理回路は、
前記流れ特有の受信信号品質の変化量が原因で生じる前記見かけ上の受信信号品質の効率的な減少を表す損失パラメータを決定することにより、
前記流れ特有の受信信号品質の変化量の関数として、前記見かけ上の受信信号品質に関する損失パラメータを決定するように構成されている、請求項４３に記載のワイヤレス通信受信機。
【請求項５４】
前記１または２以上の処理回路は、
前記多重化信号の前記見かけ上の受信信号品質の１または２以上の符号化率に依存する関数として信号品質の損失を作成する、前記受信機において維持された損失式またはデータテーブルから損失値を決定することにより、
前記見かけ上の受信信号品質の効率的な減少を表す前記損失値を決定するように構成されている、請求項５３に記載のワイヤレス通信受信機。
【請求項５５】
前記１または２以上の処理回路は、
前記多重化信号と関連付けられた１または２以上の空間多重化モードのそれぞれに関する最適な送信アンテナの一式を決定し、
前記空間多重化モードに関するアンテナの最適な一式に対応する前記流れ特有の受信信号品質の変化量を使用する、それぞれの空間多重化モードに関する損失パラメータを決定することにより、
前記流れ特有の受信信号品質の変化量の関数として、前記見かけ上の受信信号品質に関する損失パラメータを決定するように構成されている、請求項４３に記載のワイヤレス通信受信機。
【請求項５６】
前記１または２以上の処理回路は、
それぞれの空間多重化モードに関する前記最適な送信アンテナのそれぞれに対応する個々のチャネル品質指標として、およびそれぞれの空間多重化モードに関する対応する損失パラメータとして、前記見かけ上の受信信号品質の情報を生成するように構成されている、請求項５５に記載のワイヤレス通信受信機。
【請求項５７】
前記ワイヤレス通信受信機は、
広帯域符号分割多重接続（Ｗ−ＣＤＭＡ）受信機からなり、
この場合において、前記多重化信号は、
空間多重化された高速下り回線共有チャネル（ＨＳ−ＤＳＣＨ）信号からなり、
この場合において、前記見かけ上の受信信号品質の情報は、
前記空間多重化されたＨＳ−ＤＳＣＨ信号と関連付けられた１または２以上の空間多重化モードのそれぞれに関する、チャネル品質指標（ＣＱＩ）値および１または２以上の符号化率に依存する損失パラメータからなる、請求項４３に記載のワイヤレス通信受信機。
【国際調査報告】
2008543164.tif 000030
2008543164.tif 000031
2008543164.tif 000032